(57)【要約】      （修正有）【課題】熱入力に基づいて、ＷＷＡＮモジュールの送信電力をスロットリングすることを容易にする。【解決手段】熱入力は、検出された温度や、ＷＷＡＮモジュールに関連付けられたコンピューティング・デバイスからの信号や、ＷＷＡＮモジュールに関連付けられた代替技術モジュール（例えば、ＷｉＦｉモジュールやＷｉＭａｘモジュール）からの信号や、あるいはそれらと同様のものでありうる。ＷＷＡＮモジュールの目標送信電力は、例えば、検出された温度がしきい値を超えることや、コンピューティング・デバイスあるいは代替技術モジュールが熱電力の減少を要求することなどのような条件が発生すると、予め定められた量だけ低減されうる。更に、ＷＷＡＮモジュールの目標送信電力が変更された場合、ＷＷＡＮモジュールと基地局との間のネゴシエーションが実施され、適切なクラス（電力クラス）および／あるいは動作モードが選択されうる。【選択図】図２
2014014088.tif 000002
【特許請求の範囲】
【請求項１】
無線通信システム環境において、ＷＷＡＮモジュールの送信電力をスロットリングすることを容易にする方法であって、
取得された温度関連の入力に応じて、ＷＷＡＮモジュールによって利用される目標送信電力を決定することと、
基地局とネゴシエートして、前記目標送信電力への遷移を調整することと、
前記目標送信電力あるいはそれ未満の送信電力で、前記ＷＷＡＮモジュールによってデータを送ることと
を備える方法。
【請求項２】
前記ＷＷＡＮモジュールは、コンピューティング・デバイスに含まれるか、あるいは前記コンピューティング・デバイスに取り外し可能なように接続可能かのうちの少なくとも１つである請求項１記載の方法。
【請求項３】
前記取得された温度関連の入力は、検出された温度である請求項１記載の方法。
【請求項４】
前記検出された温度がしきい値温度を上回る量に基づいて、前記目標送信電力を選択することを更に備える請求項３記載の方法。
【請求項５】
前記検出された温度がしきい値温度よりも高いと認識された場合に、以前の目標送信電力を予め定められた量だけ下げることによって、前記目標送信電力を決定することを更に備える請求項３記載の方法。
【請求項６】
前記取得された温度関連の入力は、外部ソースからの温度関連の入力である請求項１記載の方法。
【請求項７】
前記外部ソースは、前記ＷＷＡＮモジュールに関連付けられたコンピューティング・デバイスか、前記ＷＷＡＮモジュールに関連付けられた代替技術のモジュールかのうちの少なくとも１つである請求項６記載の方法。
【請求項８】
前記外部ソースからの温度関連の入力は、最大送信電力を下げるよう求める要求か、あるいは前記外部ソースによってもたらされる温度測定かのうちの少なくとも１つを含む請求項６記載の方法。
【請求項９】
前記目標送信電力が、前記ＷＷＡＮモジュールのための以前に割り当てられた第１のクラスに関連付けられた範囲外である場合、前記基地局とネゴシエートして、前記ＷＷＡＮモジュールのための第２のクラスを協働的に選択することを更に備える請求項１記載の方法。
【請求項１０】
最も低い実用的クラスが前記ＷＷＡＮモジュールに割り当てられたと判定されると、前記基地局とネゴシエートして、前記ＷＷＡＮモジュールによって用いられるための動作モードを協働的に選択することを更に備える請求項１記載の方法。
【請求項１１】
前記取得された温度関連の入力に基づいて、前記ＷＷＡＮモジュールのクラスを動的に調節することと、
前記クラスの調節に関して、前記基地局に通知するための「ＵＥ機能情報」コマンドを送信することと、
前記クラスの調節に基づいて、対応するデータ・レートを選択することを可能にする「トランスポート・フォーマット・コンビネーション制御」コマンドを受信することと
を更に備え、前記対応するデータ・レートは、出力熱電力に相関する請求項１記載の方法。
【請求項１２】
前記モジュールが前記基地局に近接して位置している場合、前記目標送信電力未満でデータを送ることと、
前記ＷＷＡＮモジュールが前記基地局に関連付けられたセルの端に位置する場合、前記目標送信電力でデータを送ることと
を更に備える請求項１記載の方法。
【請求項１３】
無線通信装置は、
ＷＷＡＮモジュールと、
温度に関する受信された入力に基づいて、前記ＷＷＡＮモジュールのための目標送信電力を選択することと、基地局と協働して前記選択された目標送信電力への遷移を調整するためにことと、前記ＷＷＡＮモジュールを用いて、前記目標送信電力あるいはそれ未満の送信電力で、データを送信することとに関連する命令群を保持するメモリと、
前記メモリ内に保持された命令群を実行するように構成された、前記メモリに結合されたプロセッサと
を備える無線通信装置。
【請求項１４】
前記ＷＷＡＮモジュールは、前記無線通信装置のマザーボードのソケットに結合されるか、前記無線通信装置に取り外し可能なように接続可能であるかのうちの少なくとも１つである請求項１３記載の無線通信装置。
【請求項１５】
前記温度に関する受信された入力は、測定された温度である請求項１３記載の無線通信装置。
【請求項１６】
前記メモリは、前記測定された温度がしきい値温度を上回る量の線形関数として、前記目標送信電力を選択することに関連する命令群を更に保持する請求項１５記載の無線通信装置。
【請求項１７】
前記メモリは、測定された温度がしきい値温度よりも高いと判定されるか、熱電力が下げられることを要求する信号がコンピューティング・デバイスから受信されるか、あるいは前記熱電力を下げるよう求める要求が代替技術のモジュールから受信されるかのうちの少なくとも１つである場合に、前記モジュールのための目標送信電力を予め定められた量だけ下げることに関連する命令群を更に保持する請求項１３記載の無線通信装置。
【請求項１８】
前記温度に関する受信された入力は、コンピューティング・デバイスあるいは代替技術のモジュールのうちの少なくとも１つである外部ソースから取得され、ここで、前記代替技術のモジュールは、ＷｉＦｉあるいはＷｉＭａｘのうちの少なくとも１つに関連付けられている請求項１３記載の無線通信装置。
【請求項１９】
前記メモリは、前記目標送信電力が、前記ＷＷＡＮモジュールのための以前に割り当てられた第１のクラスに関連付けられた範囲外である場合、前記基地局とネゴシエートして、前記ＷＷＡＮモジュールのための第２のクラスを協働的に選択することに関連する命令群を更に保持する請求項１３記載の無線通信装置。
【請求項２０】
前記メモリは、最も低い実用的クラスが前記ＷＷＡＮモジュールに割り当てられたと判定されると、前記基地局とネゴシエートして、前記ＷＷＡＮモジュールによって用いられるための動作モードを協働的に選択することに関連する命令群を更に保持する請求項１３記載の無線通信装置。
【請求項２１】
無線通信環境において、熱関連の条件に応じて、ＷＷＡＮモジュールのための送信電力をスロットリングすることを可能にする無線通信装置であって、
温度関連の入力に基づいて、ＷＷＡＮモジュールによって利用される目標送信電力を調節する手段と、
前記調節された目標送信電力が、以前に割り当てられたクラスによって示される範囲外である場合に、基地局とネゴシエートして、前記ＷＷＡＮモジュールによって使用される更新されたクラスを選択する手段と、
前記更新されたクラスが、前記ＷＷＡＮモジュールに対して不十分であると判定された場合、前記基地局とネゴシエートして、前記ＷＷＡＮモジュールによって用いられるための更新された動作モードを選択する手段と
を備える無線通信装置。
【請求項２２】
前記ＷＷＡＮモジュールは、コンピューティング・デバイスのマザーボードに結合されているか、あるいは前記コンピューティング・デバイスに取り外し可能なように接続可能であるかのうちの１又は複数である請求項２１記載の無線通信装置。
【請求項２３】
前記調節された目標送信電力に等しいあるいはそれよりも低い送信電力か、前記更新されたクラスか、前記更新された動作モードのうちの少なくとも１つを利用して、データを送信する手段を更に備える請求項２１記載の無線通信装置。
【請求項２４】
検出された温度がしきい値温度を超える量の線形関数として、前記調節された目標送信電力を選択する手段を更に備え、前記検出された温度は、前記温度関連の入力の少なくとも一部である請求項２１記載の無線通信装置。
【請求項２５】
検出された温度がしきい値温度よりも高いか、前記コンピューティング・デバイスからの信号が、熱電力が下げられるよう要求するか、あるいは前記代替技術のモジュールからの信号が、前記熱電力が下げられるよう要求するかのうちの少なくとも１つである場合に、前記モジュールのための目標送信電力を事前に設定された量だけ低減する手段を更に備える請求項２１記載の無線通信装置。
【請求項２６】
コンピュータ読取可能媒体を備えるコンピュータ・プログラム製品であって、前記コンピュータ読取可能媒体は、
予めプログラムされたセットポイント引く熱アルゴリズム調節を評価することによって、ＷＷＡＮモジュールのための目標送信電力を決定するためのコードと、
前記ＷＷＡＮモジュールによって検出された温度をしきい値温度と比較するためのコードと、
前記ＷＷＡＮモジュールによって検出された温度が前記しきい値温度を超える場合、前記目標送信電力を予め定められた量だけ下げるためのコードと
を備えるコンピュータ・プログラム製品。
【請求項２７】
前記コンピュータ読取可能媒体は、
前記下げられた目標送信電力が、前記ＷＷＡＮモジュールに割り振られた第１のクラスによる許容目標送信電力よりも低いかどうかを判定するためのコードと、
前記下げられた目標送信電力が、前記ＷＷＡＮモジュールに割り振られた第１のクラスによる許容目標送信電力よりも低い場合、ネットワークを用いて、より低い第２のクラスに対してネゴシエートするためのコードと
を更に備える請求項２６記載のコンピュータ・プログラム製品。
【請求項２８】
前記コンピュータ読取可能媒体は、前記下げられた目標送信電力が、前記ＷＷＡＮモジュールに割り振られた第１のクラスによる許容目標送信電力よりも高い場合、前記ＷＷＡＮモジュールによって検出された温度を、前記しきい値温度と継続的に比較するためのコードを更に備える請求項２７記載のコンピュータ・プログラム製品。
【請求項２９】
前記コンピュータ読取可能媒体は、
前記より低い第２のクラスが、前記ＷＷＡＮモジュールによって取得された最も低い実用的クラスであるかどうかを判定するためのコードと、
前記より低い第２のクラスが、前記ＷＷＡＮモジュールによって取得された最も低い実用的クラスである場合、実質的に異なる動作モードに対してネゴシエートするためのコードと
を更に備える請求項２７記載のコンピュータ・プログラム製品。
【請求項３０】
前記コンピュータ読取可能媒体は、前記より低い第２のクラスが、前記ＷＷＡＮモジュールによって取得された最も低い実用的クラスではない場合、前記ＷＷＡＮモジュールによって検出された温度を、前記しきい値温度と継続的に比較するためのコードを更に備える請求項２９記載のコンピュータ・プログラム製品。
【請求項３１】
前記コンピュータ読取可能媒体は、熱電力を下げるよう求めるノートブック要求が受信されるか、前記熱電力を下げるよう求める代替技術の要求が受信されるかのうちの少なくとも１つである場合に、前記目標送信電力を予め定められた量だけ下げるためのコードを更に備える請求項２６記載のコンピュータ・プログラム製品。
【請求項３２】
無線通信システムにおける装置であって、
温度関連の入力に基づいて、ＷＷＡＮモジュールによって利用される目標送信電力を変更し、
前記変更された目標送信電力が、以前に割り当てられたクラスによって示される範囲外である場合、基地局とネゴシエートして、前記ＷＷＡＮモジュールによって使用される更新されたクラスを選択し、
前記更新されたクラスが、前記ＷＷＡＮモジュールに対して不十分であると判定された場合、前記基地局とネゴシエートして、前記ＷＷＡＮモジュールによって用いられる更新された動作モードを選択する
ように構成されたプロセッサを備える装置。
【請求項３３】
無線通信環境において、熱入力に基づいて、ＷＷＡＮモジュール送信電力の変更を調整することを容易にする方法であって、
第１の目標送信電力レベル、あるいはそれ未満の送信電力レベルでＷＷＡＮモジュールから送られたデータを受信することと、
前記ＷＷＡＮモジュールとネゴシエートして、第２の目標送信電力レベルへの遷移を調整することであって、前記第２の目標送信電力レベルへの遷移は、前記ＷＷＡＮモジュールによって取得された温度関連の入力に応じることと、
前記遷移の後に、前記第２の目標送信電力レベルあるいはそれ未満の送信電力レベルで前記ＷＷＡＮモジュールから送られたデータを受信することと
を備える方法。
【請求項３４】
前記ＷＷＡＮモジュールと共に協働的にクラスを選択することを更に備える請求項３３記載の方法。
【請求項３５】
前記第２の目標送信電力レベルが、前記ＷＷＡＮモジュールに割り振られた第１のクラスによる許容目標送信電力よりも低い場合、前記ＷＷＡＮモジュールによって使用される、より低い第２のクラスを選択することを更に備える請求項３３記載の方法。
【請求項３６】
第１の動作モードを用いている間、前記より低い第２のクラスが前記ＷＷＡＮに対して実用的でない場合、前記ＷＷＡＮモジュールによって使用される第２の動作モードを選択することを更に備える請求項３５記載の方法。
【請求項３７】
第１の目標送信電力レベルから、ＷＷＡＮモジュールによって使用される第２の目標送信電力レベルへの遷移を調整することであって、前記遷移は、前記ＷＷＡＮモジュールによって取得される温度関連の入力に基づくことと、前記遷移の後に、前記第２の目標送信電力レベル、あるいはそれ未満の送信電力レベルで前記ＷＷＡＮモジュールから送られたデータを取得することとに関連する命令群を保持するメモリと、
前記メモリ内に保持された命令群を実行するように構成され、前記メモリに結合されたプロセッサと
を備える無線通信装置。
【請求項３８】
前記メモリは、前記ＷＷＡＮモジュールと共に協働的にクラスを選択することに関連する命令群を更に保持する請求項３７記載の無線通信装置。
【請求項３９】
前記メモリは、前記第２の目標送信電力レベルが、前記ＷＷＡＮモジュールに割り振られた第１のクラスによる許容目標送信電力よりも低い場合に、前記ＷＷＡＮモジュールによって使用される、より低い第２のクラスを協働的に選択することに関連する命令群を更に保持する請求項３７記載の無線通信装置。
【請求項４０】
前記メモリは、第１の動作モードを用いられている間、前記より低い第２のクラスが前記ＷＷＡＮに対して実用的でない場合、前記ＷＷＡＮモジュールによって使用される第２の動作モードを選択することに関連する命令群を更に保持する請求項３９記載の無線通信装置。
【請求項４１】
無線通信環境において、熱入力に応じてＷＷＡＮモジュールによって用いられる送信電力の制御を調整することを可能にする無線通信装置であって、
ＷＷＡＮモジュールによって使用される調節された目標送信電力が、以前に割り当てられたクラスに示される範囲外である場合、前記ＷＷＡＮモジュールとネゴシエートして、前記ＷＷＡＮモジュールによって使用される更新されたクラスを選択する手段と、
前記更新されたクラスが、前記ＷＷＡＮモジュールに対して不十分であると判定された場合、前記ＷＷＡＮモジュールとネゴシエートして、前記ＷＷＡＮモジュールによって用いられる更新された動作モードを選択する手段と、
前記調節された目標送信電力に等しい、あるいはそれよりも低い送信電力を利用して前記ＷＷＡＮモジュールによって送られたデータを受信する手段と
を備える無線通信装置。
【請求項４２】
前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである請求項４１記載の無線通信装置。
【請求項４３】
前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、あるいはジェネラル・パケット・ラジオ・サービス（ＧＰＲＳ）かのうちの１つである請求項４１記載の無線通信装置。
【請求項４４】
コンピュータ読取可能媒体を備えるコンピュータ・プログラム製品であって、
前記コンピュータ読み取り可能媒体は、
ＷＷＡＮモジュールによって使用される調節された目標送信電力が、以前に割り当てられたクラスによって示される範囲外である場合、前記ＷＷＡＮモジュールとネゴシエートして、前記ＷＷＡＮモジュールによって使用される更新されたクラスを識別するためのコードと、
前記更新されたクラスが、前記ＷＷＡＮモジュールに対して不十分であると判定された場合、前記ＷＷＡＮモジュールとネゴシエートして、前記ＷＷＡＮモジュールによって用いられる更新された動作モードを決定するためのコードと、
前記調節された目標送信電力に等しい、あるいはそれよりも低い送信電力を利用して前記ＷＷＡＮモジュールによって送られたデータを受信するためのコードと
を備えるコンピュータ・プログラム製品。
【請求項４５】
前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである請求項４４記載のコンピュータ・プログラム製品。
【請求項４６】
前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、あるいはジェネラル・パケット・ラジオ・サービス（ＧＰＲＳ）かのうちの１つである請求項４４記載のコンピュータ・プログラム製品。
【請求項４７】
無漸通信システムにおける装置であって、
第１の目標送信電力レベルあるいはそれ未満の送信電力レベルでＷＷＡＮモジュールから送られたデータを受信することと、
前記ＷＷＡＮモジュールとネゴシエートして、第２の目標送信電力レベルへの遷移を調整することであって、前記第２の目標送信電力レベルへの遷移は、前記ＷＷＡＮモジュールによって取得された温度関連の入力に応じることと、
前記遷移の後に、前記第２の目標送信電力レベルあるいはそれ未満の送信電力レベルで前記ＷＷＡＮモジュールにから送られたデータを受信することと
を実行するように構成されたプロセッサを備える装置。
【発明の詳細な説明】
【技術分野】
【０００１】
[背景]
I.分野
以下の説明は一般に、無線通信に関し、特に、無線通信システムにおいて熱入力を利用して無線ワイド・エリア・ネットワーク（ＷＷＡＮ;Wireless Wide Area Network）デバイスにおける送信電力をスロットリング(throttling)することに関する。
【背景技術】
【０００２】
II.背景
無線通信システムは、様々なタイプの通信を提供するために広く展開され、例えば、音声および／あるいはデータが、このような無線通信システムによって提供されうる。典型的な無線通信システムあるいはネットワークは、１又は複数の共有リソース（例えば、帯域幅、送信電力など）に対するアクセスを複数のユーザに提供することができる。例えば、システムは、周波数分割多重化（ＦＤＭ）、時分割多重化（ＴＤＭ）、符号分割多重化（ＣＤＭ）、直交周波数分割多重化（ＯＦＤＭ）、およびその他のような、様々な多元接続技術を使用しうる。
【０００３】
一般に、無線多元接続通信システムは、複数のアクセス端末のための通信を同時にサポートしうる。各アクセス端末は、順方向および逆方向リンクでの伝送によって、１又は複数の基地局と通信しうる。順方向リンク（すなわち、下りリンク）は、基地局からアクセス端末への通信リンクを称し、逆方向リンク（すなわち、上りリンク）は、アクセス端末から基地局への通信リンクを称する。この通信リンクは、単一入力単一出力か、多重入力単一出力か、多重入力多重出力（ＭＩＭＯ）システムによって確立されうる。
【０００４】
ＭＩＭＯシステムは一般に、データ伝送のために複数（ＮＴ個）の送信アンテナおよび複数（ＮＲ個）の受信アンテナを用いる。ＮＴ個の送信アンテナおよびＮＲ個の受信アンテナによって形成されるＭＩＭＯチャネルは、空間チャネルと称されうるＮS個の独立チャネルに分解されうる。ここで、ＮS≦｛ＮＴ，ＮＲ｝。ＮS個の独立チャネルの各々は１つのディメンション（dimension）に対応している。更に、複数の送信アンテナと受信アンテナによって作られた追加ディメンションが利用される場合、ＭＩＭＯシステムは向上された性能（例えば、高められたスペクトル効率、より優れたスループット、および／又は、より高い信頼性）を提供しうる。
【０００５】
ＭＩＭＯシステムは、共通物理媒体によって、順方向および逆方向リンク通信を分割するための様々な多重化技術をサポートしうる。例えば、周波数分割二重通信（ＦＤＤ）システムは、順方向および逆方向リンク通信のために、異なる（disparate）周波数領域を利用しうる。更に、時分割二重通信（ＴＤＤ；time division duplex）システムにおいて、順方向および逆方向リンク通信は、共通の周波数領域を用いるので、相反原理（reciprocity principle）によって逆方向リンク・チャネルから順方向リンク・チャネルを推定することが可能となる。
【０００６】
無線通信システムはしばしば、カバレッジ・エリアを提供する１又は複数の基地局を用いる。典型的な基地局は、ブロードキャスト、マルチキャスト、および／あるいはユニキャスト・サービスのために複数のデータ・ストリームを送信しうる。ここにおいて、データ・ストリームは、アクセス端末が関心のあるものを個々に受信できるデータのストリームでありうる。このような基地局のカバレッジ・エリア内のアクセス端末は、複合ストリームによって運ばれる１つのデータ・ストリーム、１より多いデータ・ストリーム、あるいは、全てのデータ・ストリームを受信するために用いられうる。同様に、アクセス端末は、基地局あるいは別のアクセス端末にデータを送信しうる。
【０００７】
実例によると、アクセス端末は、コンピューティング・デバイス（例えば、ノートブック・コンピュータ、ハンドヘルド・コンピュータ、携帯情報端末（ＰＤＡ）など）と併せて用いられる無線ワイド・エリア・ネットワーク（ＷＷＡＮ）デバイス（例えば、ＷＷＡＮモジュールなど）でありうる。例えば、このＷＷＡＮデバイスは、コンピューティング・デバイスに組み込まれていたり、取り外し可能なように接続可能であったりする。しかし、ＷＷＡＮデバイスは、（例えば、コンピューティング・デバイス、コンピューティング・デバイスに関連付けられた１又は複数の構成要素、および／あるいはＷＷＡＮデバイスの性能に悪影響を与える温度レベルに及ぶ）コンピューティング・デバイスの全体周囲温度（ambient temperature）の上昇を引き起こしうる。例示のために、コンピューティング・デバイスは、自己がさらされている熱エネルギーの量に対して敏感でありうる（例えば、コンピューティング・デバイスの各構成要素のライフタイムは、このような構成要素がさらされている高い温度および低い温度に応じうる）。
【０００８】
コンピューティング・デバイスの周囲温度の変化は、ＷＷＡＮデバイス動作に起因しうる。例えば、温度の増大は、データを送信する際にＷＷＡＮデバイス上の電力増幅器によって生成された熱によってもたらされうる。更に、温度の増大は、ＷＷＡＮデバイスによってダウンロードされている高速データのベースバンド処理によって生成された熱に（例えば、電力増幅器の利用と比べて、小さい範囲で）起因しうる。
【０００９】
従来技術は一般に、ＷＷＡＮデバイスの動作に起因する温度の上昇を十分に考慮する（account for）ことができていない。例えば、一般的な技術は、無線ローカル・エリア・ネットワーク（ＷＬＡＮ）デバイスに類似したやり方で動作するＷＷＡＮデバイスを有することを含みうる。ここで、送信電力は、温度がしきい値を超えた場合、デバイス自身によって一方的に（unilaterally）低減されうる。しかし、ＷＷＡＮとは異なり、ＷＬＡＮ基地局は、コンピューティング・デバイス上のＷＬＡＮ送信電力出力を制御しようと試みない。ＷＬＡＮデバイスは、（例えば、ＷＷＡＮデバイスが動作する）認可されたスペクトルに比べて、動作がずっと制限されない無認可のスペクトルで動作する。更に、ＷＷＡＮでデバイスは通常、それぞれのネットワーク上で動作するグローバル・ネットワーク・オペレータによって認定される必要があり、認定されるために、ＷＷＡＮデバイスは一般に、グローバル・ネットワーク・オペレータ(global network operator)によって設定された要件を満たす伝送特性を有している必要がある。従って、例えば、ネットワークは通常、ＷＷＡＮデバイスによって用いられる送信電力を管理する。これは、このようなデバイスが、用いられるそれらの対応する送信電力を一方的に変更することができるように、カウンタを実行する。
【発明の概要】
【００１０】
１又は複数の実施形態の基本的理解を提供するために、このような実施形態の簡略化された概要が以下に示される。この概要は、意図される実施形態全てについての広範囲な要約ではなく、全ての実施形態の重要事項や決定的要素を識別することも、任意あるいは全ての実施形態の範囲を線引くことも意図されていない。この概要の唯一の目的は、後に示されるより詳細な説明に対する前置きとして、１又は複数の実施形態のいくつかの概念を簡略化形式で示すことである。
【００１１】
１又は複数の実施形態および対応するそれらの開示によると、熱入力に基づくＷＷＡＮモジュールの送信電力のスロットリングを容易にすることに関して、様々な態様が説明される。例えば、熱入力は、検出された温度、ＷＷＡＮモジュールに関連付けられたコンピューティング・デバイスからの信号、ＷＷＡＮモジュールに関連付けられた代替技術のモジュールからの信号、あるいはそれらと同様のものである。ＷＷＡＮモジュールの目標送信電力は、例えば、（例えば、検出された温度がしきい値を超えることや、コンピューティング・デバイスあるいは代替技術のモジュールが熱電力の低下を要求することなどのような）条件が発生すると（例えば、予め定められた量だけ）低減されうる。更に、ＷＷＡＮモジュールの目標送信電力が変更された場合に、ＷＷＡＮモジュールと基地局との間のネゴシエーションが実施され、適切なクラス（電力クラスあるいはマルチ・スロット・クラス(Multi Slot Class)）および／あるいは動作モードが選択される。
【００１２】
関連する態様に従って、無線通信環境において、ＷＷＡＮモジュールの送信電力をスロットリングすることを容易にする方法が本明細書において説明される。この方法は、取得された温度関連の入力に応じて、ＷＷＡＮモジュールによって利用される目標送信電力を決定することを含む。更に、方法は、基地局とネゴシエート(negotiate)して、目標送信電力への遷移を調整することを備えうる。更に、方法は、目標送信電力あるいはそれ未満の電力で、ＷＷＡＮモジュールによってデータを送ることを含みうる。
【００１３】
別の態様は、無線通信装置に関する。この無線通信装置は、ＷＷＡＮモジュールを含みうる。無線通信装置は、温度に関連する受信された入力に基づいて、ＷＷＡＮモジュールのための目標送信電力を選択することと、選択された目標送信電力への遷移を調整するために基地局と協働することと、ＷＷＡＮモジュールを用いて、目標送信電力あるいはそれ未満の電力でデータを送信することとに関連する命令群を保持するメモリを更に含みうる。更に、無線通信装置は、メモリ内に保持された命令群を実行するように構成された、メモリに結合されたプロセッサを含みうる。
【００１４】
更に別の態様は、無線通信環境において、熱関連の条件に応じて、ＷＷＡＮモジュールのための送信電力をスロットリングすることができる無線通信装置に関する。この無線通信装置は、温度関連の入力に基づいて、ＷＷＡＮモジュールによって利用される目標送信電力を調節する手段を含みうる。さらに、無線通信装置は、調節された目標送信電力が、以前に割り当てられたクラスによって示される範囲外である場合、基地局とネゴシエートして、ＷＷＡＮモジュールによって使用される更新されたクラスを選択する手段を含みうる。更に、無線通信装置は、更新されたクラスがＷＷＡＮモジュールに対して不十分であると判定された場合、基地局とネゴシエートして、ＷＷＡＮモジュールによって用いられる更新された動作モードを選択する手段を含みうる。
【００１５】
更に別の態様は、コンピュータ読取可能媒体を備えるコンピュータ・プログラム製品に関する。コンピュータ読取可能媒体は、予めプログラムされたセットポイント(setpoint)引く（minus)熱アルゴリズム調節を評価することによって、ＷＷＡＮモジュールのための目標送信電力を決定するためのコードを含みうる。更に、コンピュータ読取可能媒体は、ＷＷＡＮモジュールによって検出された温度をしきい値温度と比較するためのコードを含みうる。更に、コンピュータ読取可能媒体は、ＷＷＡＮモジュールによって検出された温度がしきい値温度を超える場合、予め定められた量だけ目標送信電力を下げるためのコードを備えうる。
【００１６】
別の態様によると、無線通信システムにおける装置はプロセッサを含みうる。ここにおいて、プロセッサは、温度関連の入力に基づいて、ＷＷＡＮモジュールによって利用される目標送信電力を変更するように構成されうる。更に、このプロセッサは、変更された目標送信電力が、以前に割り当てられたクラスによって示される範囲外である場合、基地局とネゴシエートして、ＷＷＡＮモジュールによって使用される更新されたクラスを選択するように構成されうる。更に、プロセッサは、更新されたクラスがＷＷＡＮモジュールに対して不十分であると判定された場合、基地局とネゴシエートして、ＷＷＡＮモジュールによって用いられる更新された動作モードを選択するように構成されうる。
【００１７】
別の態様によると、無線通信システム環境において、熱入力に基づいてＷＷＡＮモジュール送信電力の変更を調整することを容易にする方法が本明細書において説明される。この方法は、第１の目標送信電力レベルあるいはそれ未満の送信電力レベルでＷＷＡＮモジュールから送られたデータを受信することを含みうる。更に、この方法は、ＷＷＡＮモジュールとネゴシエートして、第２の目標送信電力レベルへの遷移を調整することを含み、この第２の目標送信電力レベルへの遷移は、ＷＷＡＮモジュールによって取得された温度関連の入力に応じる。更に、方法は、遷移の後で、第２の目標送信電力レベルあるいはそれ未満の送信電力レベルでＷＷＡＮモジュールから送られたデータを受信することを備えうる。
【００１８】
更に別の態様は、命令群を保持するメモリを含みうる無線通信装置に関する。この命令群は、第１の目標送信電力レベルから、ＷＷＡＮモジュールによって使用される第２の目標送信電力レベルへの遷移を調整することであって、この遷移は、ＷＷＡＮモジュールによって取得された温度関連の入力に基づくことと、この遷移の後に、第２の目標送信電力レベルあるいはそれ未満の送信電力レベルでＷＷＡＮモジュールから送られたデータを取得することとに関連する。更に、この無線通信装置は、メモリに保持された命令群を実行するように構成され、メモリに結合されたプロセッサを備えうる。
【００１９】
別の態様は、無線通信環境において、熱入力に応じて、ＷＷＡＮモジュールによって用いられる送信電力の制御を調整することができる無線通信装置に関する。この無線通信装置は、ＷＷＡＮモジュールによって使用される調節された目標送信電力が、以前に割り当てられたクラスによって示される範囲外である場合、ＷＷＡＮモジュールとネゴシエートして、ＷＷＡＮモジュールによって使用される更新されたクラスを選択する手段を含みうる。更に、無線通信装置は、更新されたクラスがＷＷＡＮモジュールに対して不十分であると判定された場合、ＷＷＡＮモジュールとネゴシエートして、ＷＷＡＮモジュールによって用いられる更新された動作モードを選択する手段を含みうる。更に、無線通信装置は、調節された目標送信電力に等しい、あるいはそれよりも低い送信電力を利用してＷＷＡＮモジュールによって送られたデータを受信する手段を備えうる。
【００２０】
更に別の態様は、コンピュータ読取可能媒体を備えるコンピュータ・プログラム製品に関する。このコンピュータ読取可能媒体は、ＷＷＡＮモジュールによって使用される、調節された目標送信電力が、以前に割り当てられたクラスによって示される範囲外である場合、ＷＷＡＮモジュールとネゴシエートして、ＷＷＡＮモジュールによって使用される更新されたクラスを識別するためのコードを含みうる。更に、コンピュータ読取可能媒体は、更新されたクラスが、ＷＷＡＮに対して不十分と判定された場合、ＷＷＡＮモジュールとネゴシエートして、ＷＷＡＮモジュールによって用いられる更新された動作モードを決定するためのコードを備えうる。更に、コンピュータ読取可能媒体は、調節された目標送信電力に等しい、あるいはそれよりも低い送信電力を利用してＷＷＡＮモジュールによって送られたデータを受信するためのコードを含みうる。
【００２１】
別の態様によると、無線通信システムにおける装置はプロセッサを含みうる。ここにおいて、プロセッサは、第１の目標送信電力レベルあるいはそれ未満の送信電力レベルでＷＷＡＮモジュールから送られたデータを受信するように構成されうる。更に、このプロセッサは、ＷＷＡＮモジュールとネゴシエートして、第２の目標送信電力レベルへの遷移を調整するように構成され、この第２の目標送信電力レベルへの遷移は、ＷＷＡＮモジュールによって取得された温度関連の入力に応じる。更に、プロセッサは、遷移の後に、第２の目標送信電力レベルあるいはそれ未満の送信電力レベルでＷＷＡＮモジュールから送られたデータを受信するように構成されうる。
【００２２】
前述の目的およびそれに関連する目的の達成に向けて、１又は複数の実施形態がこれより以下に説明され、特に請求項において指摘される特徴を備える。以下の説明および添付図面は、１又は複数の実施形態の特定の例示的な態様を詳細に説明する。これらの態様は例示的であるが、様々な実施形態の原理が用いられうる様々な様式のうちのほんのいくつかを示しているに過ぎず、説明される実施形態は、このような全ての態様と、それらに対する同等物を含むよう意図されている。
【図面の簡単な説明】
【００２３】
【図１】図１は、本明細書において説明される様々な態様に従う、無線通信システムの例示である。
【図２】図２は、無線通信環境において、熱入力に基づいて、送信電力をスロットリングする実例的なシステムの例示である。
【図３】図３は、無線通信環境において、ＷＷＡＮデバイスとの接続において利用される熱マネージャ(thermal manager)の入力あるいは出力を図示する実例的なブロック図の例示である。
【図４】図４は、無線通信環境において、アクセス端末送信電力のスロットリングを調整する実例的なシステムの例示である。
【図５】図５は、本願の要旨に関連して用いられうる構成を図示する実例的なシステムの例示である。
【図６】図６は、無線通信システム環境において、ＷＷＡＮモジュールの送信電力をスロットリングすることを容易にする実例的な方法体系の例示である。
【図７】図７は、無線通信環境において、ＷＷＡＮモジュールの送信電力を漸進的に(gradually)変更することを容易にする実例的な方法体系の例示である。
【図８】図８は、無線通信環境において、熱入力に基づいてＷＷＡＮモジュール送信電力の変更を調整することを容易にする実例的な方法体系の例示である。
【図９】図９は、無線通信システムにおいて、熱的条件に基づいて送信電力スロットリングを用いる実例的なアクセス端末の例示である。
【図１０】図１０は、無線通信環境において、熱入力に基づいてアクセス端末の電力クラスおよび／あるいは動作モードの変更を調整する実例的なシステムの例示である。
【図１１】図１１は、本明細書において説明される様々なシステムおよび方法と併せて用いられうる実例的な無線ネットワーク環境の例示である。
【図１２】図１２は、無線通信環境において、熱関連の条件に応じて、ＷＷＡＮモジュールのための送信電力をスロットリングすることを可能にする実例的なシステムの例示である。
【図１３】図１３は、無線通信環境において、熱入力に応じてＷＷＡＮモジュールによって用いられる送信電力の制御を調整することを可能にする実例的なシステムの例示である。
【発明を実施するための形態】
【００２４】
[詳細な説明]
様々な実施形態が、図面の参照を伴い説明される。ここにおいて、同一符番は同一要素を示すために使用されうる。以下の記述において、説明のために、多くの特定の詳細が、１又は複数の実施形態の完全な理解を提供するために説明される。しかし、こういった実施形態が、これらの特定の詳細なしに実践されうることは明白である。その他の実例において、周知の構成およびデバイスは、１又は複数の実施形態の説明を容易にするために、ブロック図形態で示される。
【００２５】
用語「構成要素」、「モジュール」、「システム」、およびそれらと同様のものは、本願において使用される際、コンピュータ関連のエンティティ、すなわち、ハードウェアか、ファームウェアか、ハードウェアとソフトウェアとの組合せか、ソフトウェアか、実行中のソフトウェアかの何れかを称するように意図されている。例えば、構成要素は、プロセッサ上で動作する処理や、プロセッサや、オブジェクトや、実行ファイルや、実行スレッドや、プログラムおよび／あるいはコンピュータでありうるが、それらに限定はされない。実例として、コンピューティング・デバイス(computing device)上で動作するアプリケーションと、コンピューティング・デバイスとの両方ともが、構成要素でありうる。１又は複数の構成要素が処理および／あるいは実行スレッド内に存在する、また、１つの構成要素が１つのコンピュータ上に局在化されるか、および／あるいは、２以上のコンピュータ間で分散されうる。加えて、これらの構成要素は、様々なデータ構造を有する、格納された様々なコンピュータ読取可能媒体から実行されうる。（例えば、ローカル・システムにおいてや、分散システムにおいてや、および／あるいは、信号を介して別のシステムを伴うインターネットのようなネットワークにわたって、別の構成要素と相互作用する１つの構成要素からのデータのような）１又は複数のデータ・パケットを有する信号に従うような、ローカルおよび／あるいはリモートな処理を通じて構成要素は通信しうる。
【００２６】
本明細書において説明された技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、時分割同期符号分割多元接続（ＴＤ−ＳＣＤＭＡ）およびその他のシステムのような、様々な無線通信システムのために使用されうる。用語「システム」および「ネットワーク」は、しばしば置換可能に使用される。ＣＤＭＡネットワークは、ユニバーサル地上ラジオ・アクセス（ＵＴＲＡ;Universal Terrestrial Radio Access）やｃｄｍａ２０００などのようなラジオ技術を実現しうる。ＵＴＲＡは、広帯域ＣＤＭＡ（Ｗ−ＣＤＭＡ（登録商標））およびその他のＣＤＭＡの変形を含む。ｃｄｍａ２０００は、ＩＳ−２０００規格と、ＩＳ−９５規格と、ＩＳ−８５６規格とをカバーする。ＴＤＭＡシステムは、グローバル・システム・フォー・モバイル・コミュニケーション（ＧＳＭ（登録商標））のようなラジオ技術を実現しうる。ＯＦＤＭＡシステムは、例えば、発展型ＵＴＲＡ（Ｅ−ＵＴＲＡ）、ウルトラ・モバイル・ブロードキャスト（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのようなラジオ技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを使用する、ＵＭＴＳの最新リリースである。これは、下りリンクでＯＦＤＭＡを用いて、上りリンクでＳＣ−ＦＤＭＡを用いる。
【００２７】
単一キャリア周波数分割多元接続（ＳＣ−ＦＤＭＡ）は、単一キャリア変調および周波数領域等化を利用する。ＳＣ−ＦＤＭＡは、ＯＦＤＭＡシステムのものと類似した性能と、実質的に同じ全体複雑性を有する。ＳＣ−ＦＤＭ信号は、固有の単一キャリア構造のために、より低いピーク対平均電力比（ＰＡＰＲ;peak-to-average power ratio）を有する。ＳＣ−ＦＤＭＡは、例えば、より低いＰＡＰＲが、送信電力効率という観点からアクセス端末に大いに利益をもたらす上りリンク通信において使用されうる。従って、ＳＣ−ＦＤＭＡは、３ＧＰＰロング・ターム・エボリューション（ＬＴＥ）あるいは発展型ＵＴＲＡにおける上りリンク多元接続スキームとして実施されうる。
【００２８】
更に、様々な実施形態が、アクセス端末に関連して本明細書において説明される。アクセス端末は、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、あるいはユーザ機器（ＵＥ）とも呼ばれうる。アクセス端末は、セルラ電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイスあるいは無線モデムに接続されたその他の処理デバイスでありうる。更に、様々な実施形態が、基地局に関して、本明細書において説明される。基地局は、アクセス端末と通信するために利用されうる、また、アクセス・ポイント、ノードＢ、発展型ノードＢ（ｅＮｏｄｅＢ）あるいはその他いくつかの用語でも称されうる。
【００２９】
更に、本明細書において説明される様々な態様あるいは特徴は、方法、装置、あるいは、スタンダード・プログラミングおよび／あるいはエンジニアリング技術を使用した製品として実施されうる。用語「製品（article of manufacture）」は、本明細書において使用される場合、任意のコンピュータ読取可能デバイス、キャリア、あるいは媒体からアクセス可能なコンピュータ・プログラムを含むよう意図されている。例えば、コンピュータ読取可能媒体は、磁気記憶デバイス（例えば、ハードディスクや、フロッピー（登録商標）・ディスクや、磁気ストリップなど）と、光ディスク（例えば、コンパクト・ディスク（ＣＤ）やデジタル多用途ディスク（ＤＶＤ）など）と、スマート・カードと、フラッシュ・メモリ・デバイス（例えば、ＥＰＲＯＭ、カード、スティック、キー・ドライブなど）とを含みうるが、それらに限定はされない。更に、本明細書において説明される様々な記憶媒体は、１又は複数のデバイス、および／あるいは情報を格納するためのその他の機械読取可能媒体を表しうる。用語「機械読取可能媒体（machine readable medium）」は、無線チャネルと、命令（群）および／あるいはデータを格納、包含、および／あるいは搬送することができるその他様々な媒体とを含むが、それらに限定はされない。
【００３０】
図１には、本明細書において示される様々な実施形態に従って、無線通信システム１００が例示されている。システム１００は、複数のアンテナ・グループを含みうる基地局１０２を備える。例えば、１つのアンテナ・グループは、アンテナ１０４、１０６を含み、別のグループ・アンテナはアンテナ１０８、１１０を備え、更なるアンテナ・グループは、アンテナ１１２、１１４を含みうる。各アンテナ・グループのために２つのアンテナが例示されているが、各グループのためにより多いあるいは少ないアンテナが利用されうる。基地局１０２は付加的に、送信機チェーンおよび受信機チェーンを含みうる。これらの各々は、当業者によって認識されるように、（例えば、プロセッサ、変調器、多重化器、復調器、逆多重化器、アンテナなどのような）信号の送信および受信に関連付けられた複数の構成要素を備えうる。
【００３１】
基地局１０２は、アクセス端末１１６およびアクセス端末１２２のような、１又は複数のアクセス端末と通信しうるが、基地局１０２は、アクセス端末１１６、１２２に類似した実質的に任意の数のアクセス端末と通信しうる。アクセス端末１１６、１２２は、例えば、セルラ電話、スマート電話、ラップトップ、ハンドヘルド通信デバイス、ハンドヘルド・コンピューティング・デバイス、衛星ラジオ、グローバル位置測定システム、ＰＤＡ、および／あるいは無線通信システム１００によって通信するための、その他任意の適切なデバイスでありうる。図示されたように、アクセス端末１１６は、アンテナ１１２、１１４と通信する。ここで、アンテナ１１２、１１４は、順方向リンク１１８によってアクセス端末１１６に情報を送信し、逆方向リンク１２０によってアクセス端末１１６から情報を受信する。更に、アクセス端末１２２は、アンテナ１０４、１０６と通信する。ここで、アンテナ１０４、１０６は、順方向リンク１２４によってアクセス端末１２２に情報を送信し、逆方向リンク１２６によってアクセス端末１２２から情報を受信する。周波数分割二重通信（ＦＤＤ）システムにおいて、順方向リンク１１８は、逆方向リンク１２０によって使用されたのとは異なる周波数帯域を利用しうる、また、順方向リンク１２４は、例えば、逆方向リンク１２６によって用いられたのとは異なる周波数帯域を用いうる。更に、時分割二重通信（ＴＤＤ）システムにおいて、順方向リンク１１８および逆方向リンク１２０は、共通の周波数帯域を利用しうる、また、順方向リンク１２４および逆方向リンク１２６は、共通の周波数帯域を利用しうる。
【００３２】
アンテナの各グループおよび／あるいはそれらが通信するように設計されているエリアは、基地局１０２のセクタと称されうる。例えば、アンテナ・グループは、基地局１０２によってカバーされたエリアのセクタ内で、アクセス端末に対して通信するように設計されうる。順方向リンク１１８、１２４による通信において、基地局１０２の送信しているアンテナは、ビームフォーミングを利用して、アクセス端末１１６、１２２のための、順方向リンク１１８、１２４の信号対雑音比を改善しうる。さらに、基地局１０２がビームフォーミングを利用して、関連付けられたカバレッジにわたってランダムに散在するアクセス端末１１６、１２２に送信する間、近隣セルのアクセス端末は、基地局が単一アンテナを通して全てのアクセス端末に送信するのに比べて、少ない干渉しか受けないだろう。
【００３３】
アクセス端末１１６、１２２は各々、コンピューティング・デバイス（例えば、ノートブック・コンピュータ、ハンドヘルド・コンピュータ、形態情報端末（ＰＤＡ）など）と併せて用いられる無線ワイド・エリア・ネットワーク（ＷＷＡＮ）デバイス（例えば、ＷＷＡＮモジュールなど）でありうるが、本願の要旨はそれらに限定はされないということが認識される。例えば、ＷＷＡＮデバイスは、コンピューティング・デバイスに組み込まれたり、取り外し可能なように接続可能であったりしうる。別の実例によると、ＷＷＡＮデバイスは、３Ｇモデム（例えば、３Ｇモジュールなど）でありうる。更なる実例として、ＷＷＡＮデバイスは、広帯域符号分割多元接続（ＷＣＤＭＡ）ＷＷＡＮデバイスでありうる。しかしながら、本願の要旨は上述の実例に限定されないということが認識されるべきである。
【００３４】
ＷＷＡＮデバイスは、共に用いられるコンピューティング・デバイスの温度を変更しうる。例示として、コンピューティング・デバイスと、対応するＷＷＡＮデバイスとがセルの端に位置付けられている場合、ＷＷＡＮデバイスは一般的に、信号が基地局１０２に到達できるように、最大電力で送信する。最大電力で送信することに対する副作用は、最大量の熱エネルギーが生成されるということである。更に、関連付けられたコンピューティング・デバイスは、ＷＷＡＮデバイスによって導入される熱エネルギーに対して敏感でありうる。熱エネルギーの変化を補償するために、熱モデルが使用され、コンピューティング・デバイス内部の温度と、そこに組み込まれたファンのタイプ／特性と、エアフロー設計と、それらと同様のものが識別される。従って、熱的特性は、コンピューティング・デバイスがさらされる周囲温度の増大の結果として生じるコンピューティング・デバイスの構成要素への悪影響のために、重要な設計考慮事項でありうる。
【００３５】
ＷＷＡＮデバイスによって導入される熱エネルギーの影響に対処する従来の技術はしばしば、無線ローカル・エリア・ネットワーク（ＷＬＡＮ）デバイスに類似したやり方で振る舞うＷＷＡＮデバイスを有することを含む。特に、ＷＬＡＮデバイスに類似して動作する場合、このような従来のＷＷＡＮデバイスは、しきい値温度に達すると、送信電力を一方的に低減するように設計されうる。ここで、送信電力の低減は、関連付けられたコンピューティング・デバイスに対して出力される熱エネルギーの量を低減しうる。しかし、ＷＷＡＮデバイスとＷＬＡＮデバイスとの数多くの差異が、これらの従来技術を、ＷＷＡＮデバイスと関連する利用に対して不適切なものにする。例えば、ＷＬＡＮデバイスは無認可のスペクトルで動作するが、一方で、ＷＷＡＮデバイスは認可されたスペクトルで動作し、ＷＬＡＮネットワークの振る舞いはＷＷＡＮネットワークと同じ程には制限（regulate）されていない。更なる実例として、ＷＷＡＮデバイスの送信電力は一般的に、基地局１０２からの距離に応じうる、また、ＷＷＡＮデバイスは、（例えば、オーバ・ザ・エア（over-the-air）プロトコルを利用する基地局１０２を介して）所与の送信電力で送信するよう、ネットワークによって通知されうる。（例えば、符号分割多元接続（ＣＤＭＡ）などのための）各ＷＷＡＮデバイスの送信電力は、ネットワークにわたる複数のＷＷＡＮデバイスに対応する基地局１０２における電力密度の平衡を保つように管理されうる。このように、基地局１０２は、基地局１０２から遠くに位置付けられた第２のＷＷＡＮデバイスに比べて低い電力レベルで送信するよう、基地局１０２の近くに位置付けられた第１のＷＷＡＮデバイスに通知しうる。従って、ＷＷＡＮデバイスが基地局１０２との調整なしに自己の送信電力を変更することを可能にする一般的な技術は、システム全体の動作可能性に悪い影響を与えうる。
【００３６】
その一方で、システム１００は、ＷＷＡＮデバイスと基地局１０２との間の調整を活用して、（例えば、ＷＷＡＮデバイスおよび／あるいは対応するコンピューティング・デバイスなどによって経験される）熱エネルギーの考慮に基づいて、ＷＷＡＮデバイスの目標送信電力レベルを調節する。例えば、オーバ・ザ・エア・プロトコルによって、ＷＷＡＮデバイスは、基地局１０２とのオーバ・ザ・エアでの通信を通して、それによって用いられる出力電力クラスを変更することができる。このように、熱エネルギーの影響を軽減しようと試みている場合、ネットワークは、ＷＷＡＮデバイスがネットワークからの協働なしにそれに関して用いられる目標送信電力を一方的に変更できるようにするのではなく、ＷＷＡＮデバイスが出力電力クラスを調節できるようにするための許可をもたらしうる。
【００３７】
実例によると、ＷＷＡＮデバイスは、それ自体が温度（例えば、周囲温度、ＷＷＡＮデバイスの温度、コンピューティング・デバイスの温度など）を検出することができる。付加的あるいは代替的に、ＷＷＡＮデバイスの外部にある熱測定デバイスが温度を検出し、検出された温度に関連する信号をＷＷＡＮデバイスに送りうる（例えば、ＷＷＡＮデバイスに対応するコンピューティング・デバイスが、温度を検出するための熱測定デバイスを含みうる、あるいは、ＷＷＡＮデバイスおよび対応するコンピューティング・デバイスから分離している熱測定デバイスが用いられうる）。従って、例えば、熱測定デバイスがＷＷＡＮデバイスから分離していると、熱測定デバイスおよび／あるいはコンピューティング・デバイスからＷＷＡＮデバイスへの通信経路は、温度関連情報をＷＷＡＮデバイスに転送するために活用されうる。
【００３８】
更に、外部ソース（external source;例えば、熱測定デバイス、コンピューティング・デバイスなど）によって供給された温度測定および／あるいは温度関連情報は、ＷＷＡＮデバイスが、異なる出力電力レベルを基地局１０２とネゴシエートできるようにするためのトリガとして作動しうる。例えば、ＷＷＡＮデバイスが、温度がしきい値を上回っていると認識する、および／あるいは、温度がしきい値を上回っていると通知された場合、このＷＷＡＮデバイスは基地局１０２とネゴシエートして、基地局１０２と通信するためにＷＷＡＮデバイスによって使用される目標送信電力レベルを下げうる。更なる例示として、ＷＷＡＮデバイスが、温度がしきい値未満であると認識する、および／あるいは、温度がしきい値を未満であると通知された場合、このＷＷＡＮデバイスは基地局１０２とネゴシエートして、ＷＷＡＮデバイスによって使用される目標送信電力レベルを上げうる。従って、測定された温度に応じて目標送信電力レベルを変更するために、閉ループ制御が用いられうる。
【００３９】
図２を参照すると、無線通信環境における熱入力に基づいて送信電力をスロットリングするシステム２００が例示されている。システム２００は、情報と、信号と、データと、命令群と、コマンドと、ビットと、シンボルと、それら同様のものとを送信および／あるいは受信しうるアクセス端末２０２を含む。アクセス端末２０２は、順方向リンクおよび／あるいは逆方向リンクによって、基地局２０４と通信しうる。基地局２０４は、情報と、信号と、データと、命令群と、コマンドと、ビットと、シンボルと、それら同様のものとを送信および／あるいは受信しうる。更に、図示されていないが、アクセス端末２０２に類似した任意の数のアクセス端末が、システム２００に含まれうる、および／あるいは基地局２０４に類似した任意の数の基地局がシステム２００に含まれうるということが考えられうる。更に、アクセス端末２０２は、コンピューティング・デバイスに結合されたＷＷＡＮデバイスでありうるが、本願の要旨はそれに限定はされないということが認識されるべきである。
【００４０】
アクセス端末２０２は、熱マネージャ２０６および送信機２０８を含む。熱マネージャ２０６は、熱入力に少なくとも部分的に基づいて、送信機２０８によって用いられる目標送信電力を制御しうる。更に、熱マネージャ２０６は、基地局２０４のアクセス端末電力ネゴシエータ２１０とネゴシエートして、送信機２０８を用いて伝送を送る場合に用いられる目標送信電力レベル、クラス（例えば、電力クラス、マルチ・スロット・クラスなど）、モード（例えば、技術のタイプなど）、あるいは周波数帯域のうちの少なくとも１つを選択しうる。熱マネージャ２０６は、温度の考慮に基づいて、目標送信電力を漸進的に調節（例えば、増大あるいは低下）しうる。その一方で、従来の技術はしばしば、データ接続を抑制(inhibit)すること（例えば、データの伝送を止めることや、ＷＷＡＮデバイスの動作を抑止すること）によって、温度を管理する。これは、著しい性能低下をもたらす。実例によると、用語「目標送信電力（target transmit power）」は、特定の熱的条件を前提として、アクセス端末２０２の送信機２０８によって用いられうる最大送信電力を称しうる。従って、送信機２０８は、このような最大送信電力あるいはそれ未満の送信電力で、データを送りうる。しかしながら、用語「目標送信電力」は、最大送信電力であることに限定されるわけではなく、むしろ、用語「目標送信電力」は最小送信電力、平均送信電力、あるいはその他任意の送信電力を称しうるということが考えられうる。
【００４１】
本明細書において説明されるように、用語「ネゴシエーション（negotiation）」および「ネゴシエートすること（negotiating）」は、アクセス端末２０２が機能の変更（例えば、目標送信電力レベル、クラス、モード、周波数帯域などの調節）をシグナリングするメッセージを基地局２０４に送信し、それに応じて、基地局２０４が、アクセス端末２０２によって送られたメッセージを無視するか、あるいは、そのメッセージをアクノレッジしうることを含む。これは、要求された変更が許可されたことを意味する。例えば、アクセス端末２０２によるネゴシエーションは、機能の変更をシグナリングするメッセージを基地局２０４に送ることと、変更が基地局２０４によって許可されたことを示すメッセージに応じて、アクノレッジメントをモニタリングすることとを含みうるが、本願の要旨はそれらに限定されない。
【００４２】
熱マネージャ２０６は、温度測定デバイスを含みうる、および／あるいは、実質的に任意のタイプの温度測定デバイスから温度測定情報を受信しうる。熱マネージャ２０６に関連して利用されうる温度測定デバイスの実例は、例えば、温度計、サーミスタ、抵抗温度検出器（ＲＴＤ）、パイロメータなどを含むが、いずれのタイプの温度測定デバイスも、本明細書に添付された請求項の範囲内に含まれるよう意図されていることが認識されるべきである。
【００４３】
更に、熱マネージャ２０６は、例えば、温度を検出し、その温度をしきい値と比較し、送信機２０８によって用いられうる目標送信電力レベル、クラス（例えば、電力クラス、マルチ・スロット、クラスなど）、モード、帯域などを識別し、および／あるいは、その目標送信電力レベル、クラス、モード、帯域などに遷移することをネゴシエートするために、基地局２０４のアクセス端末電力ネゴシエータ２１０と通信しうるインテリジェンス(intelligence)を提供しうる。更に、熱マネージャ２０６は継続的に温度をモニタリングして、電力レベルの調節および／あるいは任意の環境条件の変化に起因する温度変化を検出しうる。従って、検出された温度変化に基づいて、熱マネージャ２０６は、実質的に異なる目標送信電力レベル、クラス、モード、帯域などを識別する、および／あるいは、それに遷移するためにネゴシエートしうる。このように、アクセス端末２０２に関連付けられた温度測定は、基地局２０４との協働によって、アクセス端末２０２の送信機２０８によって使用される目標送信電力を調節するためのメカニズムをトリガするために使用されうる。
【００４４】
例えば、熱マネージャ２０６が、ＷＷＡＮデバイスに含まれる場合、（例えば、それに関連付けられたファームウェアおよび／あるいはソフトウェアに保持される）温度測定アルゴリズムが、ＷＷＡＮデバイス自体の温度と、（例えば、ＷＷＡＮデバイスがコンピューティング・デバイス内に位置付けられている場合の）コンピューティング・デバイス内の温度と、それらと同様のものとを検出、分析、および／あるいは使用するために用いられうる。付加的あるいは代替的に、熱マネージャ２０６が、異種ソースから供給された入力を取得しうる。ここで、このような入力は、コンピューティング・デバイス、異種デバイス、および／あるいはそれらと同様のものの、ソフトウェアやファームウェアなどに含まれる温度測定アルゴリズムを実施することによってもたらされうる。従って、温度測定アルゴリズムは、デバイス・ドライバや、第３者ソフトウェアなどに含まれうる。しかしながら、本願の要旨は上述の実例に限定されないということが理解されるべきである。
【００４５】
更に、熱マネージャ２０６は、目標送信電力レベル、クラス、モード、帯域などへの調節をトリガするために使用されうる、コンピュータ・デバイスによって供給された入力を受信しうる。例えば、コンピューティング・デバイスは、アテンション（ＡＴ）コマンド、モバイル局モデム（ＭＳＭ）インタフェース・コマンド、診断（Ｄｉａｇ）コマンド、あるいはそれらと同様のもののような、デバイス・インタフェース・コマンドを使用しうる。このようなコマンドを使用することによって、コンピューティング・デバイスは、コンピューティング・デバイスに関連付けられた温度がしきい値を上回っている（例えば、コンピューティング・デバイスが熱過ぎる）ＷＷＡＮデバイス（例えば、ＷＷＡＮデバイスの熱マネージャ２０６）に、命令群を提供しうる。従って、ＷＷＡＮデバイスは、（例えば、熱マネージャ２０６を用いることによって）出力電力を低減するために（例えば、３ＧＰＰからの）プロトコル・メカニズムを使用し、それによって、例えば、ＷＷＡＮデバイスによって放出される熱の量を下げうる。
【００４６】
ＷＷＡＮデバイスの熱マネージャ２０６を利用して実施されうる実例が以下に示される。コンピューティング・デバイスは、熱過ぎるＷＷＡＮデバイスを指示しうる。その後、ＷＷＡＮデバイスは、自己のクラスを動的に下げうる。更に、ＷＷＡＮデバイスは、「ＵＥ機能情報(UE CAPABILITY INFORMATION)」コマンドで、変更をネットワークに通知しうる。更に、ＷＷＡＮデバイスは、より低いデータ・レートが、より低いクラスから選択されることを可能にする「トランスポート・フォーマット・コンビネーション制御(TRANSPORT FORMAT COMBINATION CONTROL)」コマンドを受信する。より低いデータ・レートは、低減された出力電力／熱電力に相関しうる。類似のやり方で、コンピューティング・デバイスは、十分に低温度に達したＷＷＡＮデバイスを指示しうる。従って、ＷＷＡＮデバイスは、自己のクラスを動的に変更しうる。ＷＷＡＮデバイスは、「ＵＥ機能情報」コマンドで、変更をネットワークに通知しうる。更に、ＷＷＡＮデバイスは、より高いデータ・レートが、より高いクラスから選択されることを可能にする「トランスポート・フォーマット・コンビネーション制御」コマンドを受信しうる。付加的に、ＷＷＡＮデバイスは、クラス間の過度なスロットリングを回避するために、ヒステリシスを実行しうる。従って、ＷＷＡＮデバイスによって低減される熱エネルギーは下げられ、それによって、コンピューティング・デバイスは、より望ましく機能することが可能となりうる。更に、このメカニズムは、既存のスタンダードなオーバ・ザ・エア・メカニズム(over-the-air mechanism)を使用しうるが、本願の要旨はそれに限定されない。
【００４７】
図３を参照すると、無線通信環境においてＷＷＡＮデバイスに関連して利用される熱マネージャ２０６の入力および出力を図示するブロック図３００が例示されている。例えば、熱マネージャ２０６は、ＷＷＡＮデバイスに含まれうる。しかし、熱マネージャ２０６の少なくとも一部は、ＷＷＡＮデバイスから分離しうるということが認識されるべきである。次に、熱マネージャ２０６に提供されうる実例的な入力と、熱マネージャ２０６からもたらされうる実例的な出力の例示が提供される。本明細書において説明されるこのような入力および／あるいは出力のサブセットは、熱マネージャ２０６に関連して活用されうるということが認識されるべきである。更に、例示されたもの以外の、異種入力および／あるいは出力が、熱マネージャ２０６に関連して利用されうる、また、本願の要旨の範囲内に含まれるよう意図されているということが考えられる。
【００４８】
様々な入力が熱マネージャ２０６に提供されうる。例えば、温度が熱マネージャ２０６に入力されうる。この温度は、温度計、サーミスタ、抵抗温度検出器（ＲＴＤ）、パイロメータ、あるいは、温度を測定できる類似のタイプのデバイスのようなデバイスによってゲージ（gauge）されうる。
【００４９】
別の例示によると、現在の動作モードが熱マネージャ２０６に入力されうる。動作モードの実例は、広帯域符号分割多元接続（ＷＣＤＭＡ）、符号分割多元接続（ＣＤＭＡ）、ＧＳＭエボリューションのための強化データ・レート（ＥＤＧＥ）、ＣＤＭＡ２０００、およびジェネラル・パケット・ラジオ・サービス（ＧＰＲＳ(General Packet Radio Service)）などでありうる。しかし、本願の要旨は、これらの実例的な動作モードに限定されない。
【００５０】
別の実例によると、ノートブック（例えば、コンピューティング・デバイス）によって供給された入力は、熱マネージャ２０６に提供されうる。熱マネージャ２０６を含むＷＷＡＮデバイスと、コンピューティング・デバイス（例えば、ノートブック・コンピュータなど）とは、それらの間に通信経路を有する。例えば、システム管理バス（ＳＭＢｕｓ）は、ノートブックによって供給された入力を、ＷＷＡＮデバイスに送るために、コンピューティング・デバイスによって使用されうる。ＳＭＢｕｓは、ＷＷＡＮデバイス上に専用ピンを含むバスでありうる。付加的あるいは代替的に、ユニバーサル・シリアル・バス（ＵＳＢ）は、ノートブックによって供給された入力を、ＷＷＡＮデバイスに転送するために用いられうる。更に、任意の異種タイプの（例えば、有線および／あるいは無線）接続が、コンピューティング・デバイスとＷＷＡＮデバイスとの間で使用されうる。コンピューティング・デバイスによって提供された、ノートブックによって供給された入力は、ＡＴコマンド、ＭＳＭインタフェース・コマンド、Ｄｉａｇコマンド、あるいはそれらと同様のもののような、デバイス・インタフェース・コマンドを使用しうる。例示によると、コンピューティング・デバイスは、温度を測定し、および／あるいは、その測定された温度がしきい値を超えているかどうかを認識しうる。更に、コンピューティング・デバイスは、ＷＷＡＮデバイスが、過熱に著しく寄与するものであると判定しうる、またそのために、ノートブックによって供給された入力をＷＷＡＮデバイスに送信して、熱出力の低減をもたらしうる、変更された振る舞いを要求しうる。
【００５１】
更なる実例として、熱マネージャ２０６は、代替技術の入力を取得しうる。例えば、異種タイプの技術を用いる、（例えば、コンピューティング・デバイスに関連付けられた）異種モジュールは、（例えば、温度のために）このようなモジュールが悪い影響を受けている場合に、熱出力を下げるようＷＷＡＮデバイスに要求する入力を熱マネージャ２０６に送りうる。異種モジュールによって利用される異種タイプの技術は、例えば、ＷｉＦｉや、ＷｉＭａｘなどでありうる。ＷＷＡＮデバイスおよび異種モジュールは、共通のカード内におよび／あるいは異種の複数のカード（例えば、互いに近接しうるＷＷＡＮデバイスおよび異種モジュールに関連付けられたカード）に組み込まれうることが考えられうる。
【００５２】
熱マネージャ２０６は、ＷＷＡＮデバイスに対応する熱出力に影響を与えうる１又は複数の出力をもたらしうる。出力は、送信（Ｔｘ）出力電力制御と、クラス制御と、モード制御とを含みうる。ＴＸ出力電力制御は、オーバ・ザ・エアで生成される信号の電力を変更しうる。例えば、ＷＷＡＮデバイスが生じる熱電力を低減するためのメカニズムは、ＷＷＡＮデバイスが出力する放射送信電力の量を低減するためのものでありうる。更に、クラス制御は、ＷＷＡＮデバイスがクラスを変更することを許可するために、（例えば、図２のアクセス端末電力ネゴシエータ２０４によって）ネットワークを用いて活用されうるネゴシエーション・メカニズムでありうる。これは、出力された熱電力の低減をもたらしうる。更に、モード制御は、動作モードを切り替えるために利用されうるネゴシエーション・メカニズムでありうる。例えば、各動作モードは、異なる熱的特性を有しうる、従って、ＷＷＡＮデバイスによって利用される動作モードを変更することは、出力される熱電力を変更することを結果としてもたらしうる。
【００５３】
図４を参照すると、無線通信環境においてアクセス端末送信電力のスロットリングを調整するシステム４００が例示される。システム４００は、アクセス端末２０２および基地局２０４を含む。アクセス端末２０２は、熱マネージャ２０６および送信機２０８を含みうる、また、基地局２０４は、アクセス端末電力ネゴシエータ２１０を含みうる。
【００５４】
熱マネージャ２０６は、電力レベル制御装置４０２と、クラス・ネゴシエータ４０４と、モード・ネゴシエータ４０６とを更に含みうる。ＷＷＡＮモジュールが起動され、送信機２０８がアクティベートされると、電力レベル制御装置４０２は、送信機２０８によって利用される目標送信電力を決定しうる。更に、電力レベル制御装置４０２は、送信機２０８に提供されうる送信出力電力制御信号をもたらして、目標送信電力レベルを管理しうる。ＷＷＡＮモジュールが、所与の目標送信電力あるいはそれ未満の送信電力で伝送を送るために送信機２０８を利用すると、温度は増大しうる。従って、熱マネージャ２０６は、（例えば、温度検出センサを利用することによって）ＷＷＡＮモジュールに関連付けられた温度をトラッキングして、その温度が、明細事項(specification)に違反したり（例えば、ＷＷＡＮモジュールや、関連付けられたコンピューティング・デバイスの構成要素のために説明された動作の範囲外である）、規格に違反するやり方でＷＷＡＮモジュールの性能を低減したりするレベルまで上昇しているかどうかを判定する。このように、温度がしきい値を上回っていると熱マネージャ２０６が認識した場合、電力レベル制御装置４０２は、送信機２０８による使用のための許容目標送信電力を下げうる。例示として、電力レベル制御装置４０２は、線形目盛を利用して、ＹｄＢだけ目標送信電力を下げうる。ここで、Ｙは実数である。従って、温度がしきい値を上回る場合、電力レベル制御装置４０２は、温度がしきい値を上回って増大することに応じて、ほぼ直線的に目標送信電力を減少させうる。電力レベル制御装置４０２は、アクセス端末２０２に割り当てられた電力クラスに対応する範囲内で目標送信電力を減少させうる。ここで、電力クラスは、このような電力クラスのためにアクセス端末２０２によって利用されうる最小送信電力（および／あるいは最大送信電力）を特定しうる。規格は、電力クラスのために使用されうる最小送信電力（および／あるいは最大送信電力）を設定しうる。例えば、ＣＤＭＡにおける所与の電力クラスの最小送信電力は２３ｄＢｍでありうる。従って、この所与の電力クラスにある間に、目標送信電力が２３ｄＢｍ未満だろうと電力レベル制御装置４０２が判定した場合、この電力クラスは、（例えば、更に詳細に以下に説明されるように、クラス・ネゴシエータ４０４を利用して）規格コンプライアント（standard compliant）のままとなるように変更されうる。代替的に、この所与の電力クラスにある間に、利用される目標送信電力が２３ｄＢｍを上回っていると電力レベル制御装置４０２が識別した場合、電力クラスは変更される必要はない。更に、温度が減少すると、電力レベル制御装置４０２は、割り当てられた電力クラスに対応する範囲内で目標送信電力を増大させうる。従って、用語「最大送信電力」および「最小送信電力」は、所与の電力クラスを用いている間、アクセス端末２０２によって使用されうる最大あるいは最小電力レベルを称しうる。更に、用語「目標送信電力」は、特定の熱的条件に基づいて、アクセス端末２０２に関連する利用のために、電力レベル制御装置４０２によって選択される電力レベルでありうる。例えば、電力レベル制御装置４０２は、アクセス端末２０２によって使用される特定の電力クラスのための最大送信電力および最小送信電力によって定義された範囲内に含まれる目標送信電力を選択しうる。
【００５５】
電力クラスしきい値に達する（例えば、電力レベル制御装置４０２が、所与の電力クラスに関連付けられた範囲外の目標送信電力レベルを選択する）と、クラス・ネゴシエータ４０４および／あるいはモード・ネゴシエータ４０６は、基地局２０４（例えば、アクセス端末電力ネゴシエータ２１０）とネゴシエートして、クラスおよび／あるいはモードをそれぞれ変更しうる。より具体的にいうと、基地局２０４のアクセス端末電力ネゴシエータ２１０は更に、クラス・ネゴシエータ４０８およびモード・ネゴシエータ４１０を更に含みうる。このように、アクセス端末２０２のクラス・ネゴシエータ４０４と、基地局２０４のクラス・ネゴシエータ４０８とが、アクセス端末２０２に対して適切な、用いるためのクラスを選択するように協働しうる。クラス・ネゴシエータ４０４およびクラス・ネゴシエータ４０８によって選択されたクラスは、アクセス端末２０２による利用のための、電力クラス、マルチ・スロット・クラス、あるいはそれらと同様のものでありうるということが認識されるべきである。従って、本明細書において利用される用語「クラス」は、電力クラス、マルチ・スロット・クラス、電力クラスおよびマルチ・スロット・クラスの組合せ、あるいは任意の異種タイプのクラスと称されうる。更に、アクセス端末２０２のモード・ネゴシエータ４０６および基地局のモード・ネゴシエータ４１０は、アクセス端末２０２による使用のための適切なモードを調整選択しうる。
【００５６】
例えば、電力レベル制御装置４０２が、アクセス端末２０２に割り当てられた電力クラスに関連付けられた範囲未満の、利用される目標送信電力レベルを識別した場合、クラス・ネゴシエータ４０４は基地局２０４（例えば、クラス・ネゴシエータ４０８）と協働して、より低い電力クラスに切り替えうる。クラス・ネゴシエータ４０４、４０８は、例えば、ＣＤＭＡあるいはＷＣＤＭＡを用いている間、アクセス端末２０２による利用のための電力クラスを決定しうる。従って、所与のＣＤＭＡクラスが２３ｄＢｍの最小送信電力を許容しうる実例によると、目標送信電力レベルが２３ｄＢｍ未満だろうと電力レベル制御装置４０２が判定した場合、モード・ネゴシエータ４０４、４０８は、アクセス端末２０２を、（例えば、より低い対応する最小送信電力が許可される）より低い電力クラスに遷移させるよう通信しうる。別の実例として、クラス・ネゴシエータ４０４、４０８は、（例えば、電力レベル制御装置４０２によって識別された目標送信電力レベルに基づいて）アクセス端末２０２による使用のためのマルチ・スロット・クラス間で協働的に遷移しうる。マルチ・スロット・クラスは、ＧＳＭや、ＧＰＲＳや、ＥＤＧＥなどに関連して利用されうる。例えば、マルチ・スロット・クラスは、伝送のためにアクセス端末２０２によって使用されうるスロットの数を特定しうる。伝送のために使用されるこのスロットの数と、浪費される熱は直接に相関付けられうる。従って、温度が高すぎると判定された場合、伝送のために使用されるスロットの数は、アクセス端末２０２によって用いられるための異種マルチ・スロット・クラスを選択するクラス・ネゴシエータ４０４、４０８によって減少されうる。
【００５７】
更に、モード・ネゴシエータ４０６、４１０は、アクセス端末２０２による利用のためのモードを協働的(cooperratively)に選択しうる。例えば、クラス・ネゴシエータ４０４、４０８によって選択されうる電力クラスに関して下限が存在しうる（例えば、ＧＰＲＳや、ＷＣＤＭＡあるいはＣＤＭＡに対して適当な電力クラスなどを用いる場合は１スロット）、また、その下限に達すると、モード・ネゴシエータ４０６、４１０は、アクセス端末２０２による使用のためのモードを切り替えうる。この下限に達すると、モード・ネゴシエータ４０６、４１０は、例えば、ＷＣＤＭＡ（あるいはＣＤＭＡ）からＥＤＧＥにモードを変更しうる。モードの任意の変更が、このようなモードの熱的影響に依存して（例えば、ＥＤＧＥは、ＷＣＤＭＡあるいはＣＤＭＡに比べて、低い熱的影響を有しうる）、モード・ネゴシエータ４０６、４１０によって利用されうるということが認識されるべきである。更に、モードが遷移することは、アクセス端末２０２の異なる構成要素における利用間を切り替えることを含みうる。従って、以前に熱かった第１の構成要素はオフにされうる一方で、以前にオフだった第２の構成要素がオンにされうる。それによって、第１の構成要素は冷めることができる。
【００５８】
熱マネージャ２０６は、電力レベル、クラス、および／あるいはモードを変更することを開始しうる（例えば、関連付けられたコンピューティング・デバイスや、代替技術のモジュールからの）外部入力を受信しうる。上述された電力レベル制御装置４０２、クラス・ネゴシエータ４０４、および／あるいはモード・ネゴシエータ４０６による変更は、熱マネージャ２０６がこれらの外部入力を取得した場合にもたらされうる。従って、このような変更は、熱マネージャ２０６に提供された外部入力および／あるいは熱マネージャ２０６によって集められた温度測定値に起因しうる。
【００５９】
外部入力の実例は、コンピューティング・デバイスによって供給された要求（例えば、ノートブック要求）である。例えば、コンピューティング・デバイスの、熱に敏感な構成要素は、ＷＷＡＮモジュールの下に位置しうる、また、コンピューティング・デバイスは、これらの構成要素の温度をモニタしうる。このような構成要素の温度が高すぎると認識された場合、コンピューティング・デバイスは、温度を示す、温度が高すぎると示す、および／あるいはＷＷＡＮモジュールの目標送信電力が低減されることを求める要求を、（例えば、ＳＭＢｕｓや、ＡＴコマンドや、任意の通信チャネルによって）熱マネージャ２０６に送りうる。従って、電力レベル制御装置４０２、クラス・ネゴシエータ４０４、および／あるいはモード・ネゴシエータ４０６は、上述されたように、それに応じて電力レベル、クラス、および／あるいはモードを変更しうる。
【００６０】
別の例示によると、代替技術のモジュール（例えば、ＷｉＦｉモジュールやＷｉＭａｘモジュールなど）は、電力レベル、クラス、および／あるいはモードを調節するために活用されうる熱マネージャ２０６に入力を供給しうる。例えば、ＷｉＦｉあるいはＷｉＭａｘモジュールは、ＷＷＡＮモジュールと物理カードを共有しうる。付加的あるいは代替的に、ＷｉＦｉ又はＷｉＭａｘモジュールおよびＷＷＡＮモジュールは、互いに近接した、異種の複数の物理カード上にある。ＷＷＡＮモジュールおよび代替技術のモジュールは、両方とも熱を生成しうる。更に、これらのモジュール間の通信経路は、温度、目標送信電力などについての情報をそれらの間で通信するために活用されうる。従って、熱モジュール４０２は、ＷＷＡＮモジュールと同様に、代替技術のモジュールからもたらされている熱を補償しうる（例えば、これは代替技術のモジュールから受信された情報に基づいて識別されうる）。
【００６１】
図５を参照すると、本願の要旨に関連して用いられうる構成を図示する実例的なシステム５００が例示される。しかしながら、本願の要旨は、この実例的な構成に制限されないということが認識されるべきである。システム５００は、本明細書に説明されるように、コンピューティング・デバイス５０２（例えば、ノートブック・コンピュータ）と、ＷＷＡＭモジュール５０４と、熱マネージャ２０６とを含む。図示されたように、コンピュータ・デバイス５０２は、ＷＷＡＮモジュール５０４を含みうる（例えば、ＷＷＡＮモジュール５０４はコンピューティング・デバイス５０２の一部でありうる）。これは、熱マネージャ２０６を更に含みうる（例えば、熱マネージャ２０６は、ＷＷＡＮモジュール５０４の一部でありうる）。この実例によると、ＷＷＡＮモジュール５０４は、例えば、コンピューティング・デバイス５０２のマザーボード上に存在するソケットに直接組み込まれうる。代替的に、ＷＷＡＮモジュール５０４は、コンピューティング・デバイス５０２に、取り外し可能なように接続可能でありうる（例えば、ＷＷＡＮモジュール５０４は高速カード・フォーム・ファクタを有しうる、また、ＷＷＡＮモジュール５０４は、コンピューティング・デバイス５０２に結合されうる）。図５に図示される構成とは異なる、任意の異種構成が代替的に活用されうると考えられる（例えば、ＷＷＡＮモジュール５０４がコンピューティング・デバイス５０２から少なくとも部分的に分離しうるか、熱マネージャ２０６がＷＷＡＮモジュール５０４から少なくとも部分的に分離しうるか、あるいは熱マネージャ２０６がＷＷＡＮモジュール５０４に結合されうる）。
【００６２】
図６乃至図８を参照すると、無線通信環境において熱入力に基づいてＷＷＡＮデバイスにおける送信電力をスロットリングすることに関する方法体系が例示されている。説明の簡略化のために、方法体系が一連の動作として説明されるが、１又は複数の実施形態に従って、いくつかの動作は、本明細書に図示および説明されたのとは異なる順序で、および／あるいは、それらのうちの別の動作と同時に生じうるので、この方法体系は動作の順序に制限されないということが理解されるべきである。例えば、方法体系は代替的に、状態図においてのように、相関関係にある一連の状態あるいはイベントとして表されうるということを当業者は理解および認識するだろう。更に、１又は複数の実施形態に従って方法体系を実施するのに、例示された動作の全てが必要とされるわけではない。
【００６３】
図６を参照すると、無線通信環境におけるＷＷＡＮモジュールの送信電力をスロットリングすることを容易にする方法体系６００が例示される。６０２において、ＷＷＡＮモジュールによって利用される目標送信電力は、取得された温度関連の入力に応じて決定されうる。例えば、温度関連の入力は、外部ソースからの、検出された温度あるいは温度関連の入力のうちの少なくとも１つでありうる。ＷＷＡＮモジュールは、コンピューティング・デバイス（例えば、ノートブック・コンピュータ）に含まれるか、コンピューティング・デバイスに取り外し可能なように接続可能であるか、あるいはそれらと同様でありうる。ＷＷＡＮモジュールは、データを送るために、目標送信電力に等しいあるいはそれよりも低い送信電力を用いうる、また、目標送信電力は、目標送信電力が利用されている間に経験された熱的条件を考慮するように選択されうる。更に、目標送信電力は、検出された温度がしきい値温度を上回る量に基づいて選択されうる。別の実例として、検出された温度がしきい値温度よりも高いと認識された場合、目標送信電力は予め定められた量だけ下げられうる。その後、再び温度が測定され、しきい値温度と比較されうる、また、温度がしきい値温度を上回ったままである場合、目標送信電力は予め定められた量だけ下げられうる。上述されたことは、測定された温度がしきい値温度未満になるまで更に繰り返されうる。付加的に、外部ソースは、コンピューティング・デバイスや代替技術のモジュール（例えば、ＷｉＦｉモジュールやＷｉＭａｘモジュール）などでありうる。従って、外部ソースは温度関連の入力を提供しうる、これは、目標送信電力を下げるよう求める要求、外部ソースによってもたらされた温度測定値、あるいはそれらと同様のものを含みうる。
【００６４】
６０４において、目標送信電力への遷移を調整するために、基地局とのネゴシエーションが実施されうる。例えば、クラス（例えば、電力クラスおよび／あるいはマルチ・スロット・クラス）が基地局とネゴシエートされうる。この実例に続いて、目標送信電力が、ＷＷＡＮモジュールに割り当てられた所与のクラス（例えば、所与の電力クラスあるいはマルチ・スロット・クラス）に関連付けられた範囲外である場合、基地局とのネゴシエーションによって、異種クラス（例えば、異種の電力クラスあるいはマルチ・スロット・クラス）がＷＷＡＮモジュールために協働的に選択されうる。例示として、目標送信電力が、割り当てられたクラスによって特定されるような最小送信電力よりも低い場合、基地局とのネゴシエーションによって、より低いクラスがＷＷＡＮモジュールのために選択されうる。同様に、目標送信電力が、割り当てられたクラスによって説明されるような最大送信電力よりも高い場合、ネゴシエーションによって、より高いクラスがＷＷＡＮモジュールのために協働的に選択されうる。更に、動作モードは、基地局とのネゴシエーションによって、ＷＷＡＮモジュールによって用いられるために選択されうる。動作モードの実例は、広帯域符号分割多元接続（ＷＣＤＭＡ）、符号分割多元接続（ＣＤＭＡ）、ＧＳＭエボシューションのための強化データ・レート（ＥＤＧＥ）、ＣＤＭＡ２０００、ジェネラル・パケット・ラジオ・サービス（ＧＰＲＳ）などでありうるが、本願の要旨は、これらの実例的な動作モードに限定されない。実例によると、動作モードのネゴシエーションは、最も低い実用的（practical)クラスがＷＷＡＮモジュールに割り当てられたと判定されると実施されうる。動作モードの各々は、対応する熱的特性を有しうる。従って、温度を低減するために、ＷＣＤＭＡあるいはＣＤＭＡからＥＤＧＥへ遷移することを選択することが基地局とのネゴシエーションによって引き起こされうるが、本願の要旨はそれに限定されない。
【００６５】
６０６において、データは目標送信電力あるいはそれ未満の送信電力で、ＷＷＡＮモジュールによって送られうる。例えば、ＷＷＡＮモジュールが基地局に近接して位置している場合、データは目標送信電力未満で送られうるが、ＷＷＡＮモジュールが、基地局に関連付けられたセルの端に位置する場合、データは目標送信電力で送られうる。更に、クラスおよび／あるいは動作モードのネゴシエーションが実施されると、データは、協働的に選択されたクラス（電力クラスあるいはマルチ・スロット・クラス）および／あるいは動作モードを活用することによって、ＷＷＡＮモジュールによって送られうる。更に、図示されていないが、目標送信電力は、時間にわたって動的に更新（例えば、増大あるいは減少）され、動的に更新された目標送信電力、動的に更新されたクラス、および／あるいは動的に更新された動作モードを利用するＷＷＡＮモジュールによって、データを送ることがもたらされうるということが考えられうる。
【００６６】
図７を参照すると、無線通信環境においてＷＷＡＮモジュールの送信電力を漸進的に変更することを容易にする方法体系７００が例示される。７０２において、最大送信電力は、予めプログラムされたセットポイント引く熱調節によって決定されうる。７０４において、ＷＷＡＮモジュールによって検出された温度は、しきい値（例えば、Ｘ。ここで、Ｘは実数でありうる）と比較されうる。温度がしきい値を上回っていると、方法体系７００は７０６に進む。７０６において、最大許容送信電力がＹｄＢだけ低減されうる（ここで、Ｙは実数である）。実例によると、Ｙは、予め定められていたり、適応的に調節されたりしうる。７０８において、最大伝送電力は、ＷＷＡＮモジュールに割り当てられた電力クラスによる許容送信電力と比較されうる。最大送信電力が電力クラスによる許容送信電力よりも高い場合、方法体系７００は７０４に戻る。最大送信電力が電力クラスによる許容送信電力よりも低い場合、方法体系７００は７１０に続く。７１０において、より低い電力クラスあるいはマルチ・スロット・クラスが、ネットワークとネゴシエートされうる。７１２において、（例えばＷＷＡＮモジュールのような）デバイスによって取得された電力クラスが、最も低い実用的クラスであるかどうかに関しての判定が実施されうる。デバイスによって取得された電力クラスが、最も低い実用的電力クラスではない場合、方法体系７００は７０４に戻る。デバイスによって取得された電力クラスが、最も低い実用的電力クラスである場合、方法体系７００は７１４に続く。７１４において、異種のモードあるいは帯域がネゴシエートされうる。実例として、動作モードはＷＣＤＭＡからＥＤＧＥに変更されうるが、本願の要旨はそれに限定されない。別の例示によると、帯域は、第１の構成要素を用いることから、第２の構成要素へと切り替えるために変更されうる（例えば、現在の動作がパーソナル通信サービス（ＰＣＳ）帯域において実施されうる場合、切替前はオンであった構成要素から、切替前はオフであった構成要素への遷移がなされることにより、温度を低減するために切替がセル帯域に対してなされうる。）。この例示によると、帯域は、例えば、１９００ＭＨｚから８５０ＭＨｚに変更されうるが、本願の要旨は、それに限定されない。方法体系７００は、７１４から７０２に戻りうる。
【００６７】
７０４において、ＷＷＡＮモジュールによって検出された温度がしきい値未満である場合、方法体系７００は、７１６に進みうる。７１６において、熱電力を下げるよう求めるノートブック要求が取得されたかどうかについての評価が実施されうる。熱電力を下げるよう求めるノートブック要求が受信されている場合、方法体系７００は７０６に進み、許容最大送信電力をＹｄＢだけ下げうる。さもなければ、熱電力を下げるよう求めるノートブック要求が受信されていない場合、方法体系７００は７１８に進みうる。７１８において、熱電力を下げるよう求める代替技術の要求が受信されたかどうかが判定されうる。熱電力を下げるよう求める代替技術の要求が受信されている場合、方法体系７００は７０６に進み、許容最大送信電力をＹｄＢだけ下げうる。代替的に、熱電力を下げるよう求める代替技術の要求が受信されていない場合、方法体系７００は７０２に戻る。
【００６８】
図８を参照すると、無線通信環境において、熱入力に基づいてＷＷＡＮモジュール送信電力の変更を調整することを容易にする方法体系８００が例示される。８０２において、第１の目標送信電力レベルあるいはそれ未満の送信電力レベルでＷＷＡＮモジュールから送られたデータが受信されうる。８０４において、第２の目標送信電力レベルへの遷移を調整するための、ＷＷＡＮモジュールとのネゴシエーションが実施されうる。例えば、第２の目標送信電力レベルへの遷移は、ＷＷＡＮモジュールによって取得される温度関連の入力に応じうる。例示によると、ＷＷＡＮモジュールによって取得された温度関連の入力は、ＷＷＡＮモジュールによって取得された、ＷＷＡＮモジュールの温度あるいは温度関連の外部入力のうちの少なくとも１つでありうる。更に、クラス（例えば、電力クラスおよび／あるいはマルチ・スロット・クラス）は、ネゴシエーションによって、ＷＷＡＮモジュールと共に協働的に選択されうる。例示として、第２の目標送信電力が、ＷＷＡＮモジュールに割り振られた第１のクラスによる許容送信電力よりも低い場合、より低い第２のクラスがＷＷＡＮモジュールのために選択されうる。更に、動作モードは、ネゴシエーションによって、ＷＷＡＮモジュールと協働的に選択されうる。例えば、第１の動作モードを用いている間、ネゴシエーションによってＷＷＡＮモジュールのために選択されたクラスが実用的でない場合、第２の動作モードがＷＷＡＮモジュールのために選択されうる。８０６において、第２の目標送信電力レベルあるいはそれ未満の送信電力レベルでＷＷＡＮモジュールから送られたデータが、遷移の後に受信されうる。更に、ＷＷＡＮモジュールは、ＷＷＡＮモジュールとのネゴシエーションによって協働的に識別された第２のクラスおよび／あるいは第２の動作モードを用いうる。
【００６９】
本明細書において説明される１又は複数の態様によると、無線通信環境において、熱入力に基づいてＷＷＡＮモジュールにおける送信電力をスロットリングすることに関して推測がなされうる。本明細書において使用される場合に、用語「推測する（infer）」あるいは「推測（inference）」は、一般に、イベントおよび／あるいはデータによって獲得されるような観測のセットからの、システム、環境、および／あるいはユーザの状態について推論する、あるいは、それらの状態を推測する処理を一般に称する。推測は、例えば、特定のコンテキストあるいはアクションを識別するために用いられうる、あるいは、状態にわたる確率分布を生成しうる。推測は確率的であり、すなわち、データおよびイベントの考慮に基づいて、対象の状態にわたる確率分布の計算である。推測は、イベントおよび／あるいはデータのセットから、より高いレベルのイベントを構成するために用いられる技術を称しうる。これらのイベントが、時間的に近接して相関付けられていようとそうでなかろうと、また、これらのイベントおよびデータが、１又は複数のイベントおよびデータ・ソースからもたらされたものであろうとそうでなかろうと、このような推測は、観測されたイベントおよび／あるいは格納されたイベント・データのセットからの新たなイベントあるいは動作の構築をもたらす。
【００７０】
実例によると、上述された１又は複数の方法は、温度や、温度の変化や、温度傾向データなどを判定することに関する推測を行うことを含みうる。更なる例示のために、熱放散に対する、送信電力変化による予期される影響と、ＷＷＡＮ性能と、異種構成要素（例えば、ＷＷＡＮに関連付けられたコンピューティング・デバイスの構成要素）の性能と、それらの同様のものを判定することに関連する推測がなされうる。上記の実例は、本質的に例示的であり、本明細書において説明される様々な実施形態および／あるいは方法と併せてなされうる推測の数、あるいは、このような推測がなされうるやり方を制限することは意図されていないということが認識されるだろう。
【００７１】
図９は、無線通信システムにおいて、熱的条件に基づく送信電力スロットリングを用いるアクセス端末９００の例示である。アクセス端末９００は、例えば、受信アンテナ（図示せず）から信号を受信し、受信された信号に典型的な動作（フィルタ、増幅、ダウンコンバート）を実行し、調整された信号をデジタル化してサンプルを取得する受信機９０２を備える。受信機９０２は、例えば、ＭＭＳＥ受信機であり、また、受信されたシンボルを復調し、それらをチャネル推定のためにプロセッサ９０６に提供する復調器９０４を備えうる。プロセッサ９０６は、受信機９０２によって受信される情報を分析することおよび／あるいは送信機９１６による伝送のために情報を生成することのために設けられたプロセッサ、アクセス端末９００の１又は複数の構成要素を制御するプロセッサ、および／あるいは、受信機９０２によって受信された情報を分析することと、送信機９１６による伝送のために情報を生成することとを両方実行し、アクセス端末９００の１又は複数の構成要素を制御するプロセッサでありうる。
【００７２】
アクセス端末９００は、プロセッサ９０６に動作可能なように結合され、また、送信されるデータと、受信されたデータと、本明細書において説明される様々な動作および機能を実行することに関連するその他任意の適切な情報とを格納しうる、メモリ９０８を付加的に備えうる。メモリ９０８は、熱関連の入力に基づいて、伝送のために用いる送信電力レベルを選択することや、送信電力、クラス、および／あるいは、動作モードに対応する変更を基地局とネゴシエートすることなどに関連付けられたプロトコルおよび／あるいはアルゴリズムを付加的に格納しうる。
【００７３】
本明細書において説明されたデータ記憶装置（例えば、メモリ９０８）は、揮発性メモリか非揮発性メモリのどちらかであるか、あるいは、揮発性メモリと非揮発性メモリの両方ともを含みうる。限定ではなく例示として、非揮発性メモリは読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、ランダム・アクセス・メモリ（ＲＡＭ）を含みうる。これは、外部キャッシュ・メモリの役割をする。限定ではなく例示として、ＲＡＭは、例えば、同期ＲＡＭ（ＳＲＡＭと）、動的ＲＡＭ（ＤＲＡＭ）と、同期ＤＲＡＭ（ＳＤＲＡＭ）と、ダブル・データ・レートＳＤＲＡＭ（ＤＤＲ  ＳＤＲＡＭ）と、改良型ＳＤＲＡＭ（ＥＳＤＲＡＭ）と、シンクリンクＤＲＡＭ（ＳＬＤＲＡＭ）と、ダイレクト・ラムバスＲＡＭ（ＤＲＲＡＭ(登録商標)）とのような、多くの形態で利用可能である。対象システムおよび方法のメモリ９０８は、これらのメモリに限定されることなく、これらのメモリおよびその他任意の適切なメモリを備えるよう意図されている。
【００７４】
受信機９０２は更に、熱マネージャ９１０および／あるいはネゴシエータ９１２に動作可能なように結合されうる。熱マネージャ９１０は、様々な温度関連の入力を取得し、アクセス端末９００によって用いられる目標送信電力を選択することに関連して、このような入力を評価しうる。例えば、温度関連の入力は、１又は複数の温度センサによって測定される温度や、外部ソース（例えば、コンピューティング・デバイス、代替技術のモジュール）から受信される熱的条件に対応する入力などでありうる。更に、熱マネージャ９１０は、様々な入力を分析して、伝送のために使用される目標送信電力を決定しうる。ここで、目標送信電力の選択は、検出された熱的条件に対応する悪影響を最小化することができる。更に、ネゴシエータ９１２は、目標送信電力で動作することに関連して、アクセス端末９００によって使用されるクラスおよび／あるいは動作モードを協働的に選択しうる。熱マネージャ９１０は、図２の熱マネージャ２０６に実質的に類似しうるということが考えられる。更に、ネゴシエータ９１２は、図４のクラス・ネゴシエータ４０４および／あるいはモード・ネゴシエータ４０６に実質的に類似しうると認識されるべきである。図示されていないが、熱マネージャ９１０が、ネゴシエータ９１２（および／あるいは、図４の電力レベル制御装置４０２に実質的に類似する電力レベル制御装置）を含みうるということも認識されるべきである。アクセス端末９００は、変調器９１４と、例えば、基地局や別のアクセス端末などに信号を送信する送信機９１６とを更に備えうる。プロセッサ９０６から分離して図示されているが、熱マネージャ９１０、ネゴシエータ９１２、および／あるいは変調器４１４は、プロセッサ９０６あるいは多数のプロセッサ（図示せず）の一部でありうると認識されるべきである。
【００７５】
図１０は、無線通信環境において、熱入力に基づいてアクセス端末の電力クラスおよび／あるいは動作モードの変更を調整するシステム１０００の例示である。システム１０００は、複数の受信アンテナ１００６によって、１又は複数のアクセス端末１００４から信号を受信する受信機１０１０と、送信アンテナ１００８によって、１又は複数のアクセス端末１００４に送信する送信機１０２４とを有する基地局１００２（例えば、アクセス・ポイント）を備える。受信機１０１０は、受信アンテナ１００６から情報を受信し、また、受信された情報を復調する復調器１０１２に動作可能なように関連付けられうる。復調されたシンボルは、図９に関して上記で説明されたプロセッサに類似しうるプロセッサ１０１４によって分析される。また、これは、アクセス端末１００４（あるいは、異種基地局（図示せず））から送信あるいは受信されるデータ、および／あるいは、本明細書において説明される様々な動作および機能を実行することに関連するその他任意の情報を格納するメモリ１０１６に結合される。例えば、メモリ１０１６は、本明細書において説明されたようなアクセス端末１００４による使用のためのクラスおよび／あるいは動作モードを協働的に選択することに関連する命令群を含みうる。プロセッサ１０１４は、アクセス端末１００４による使用のためのクラスの選択を調整しうるクラス・ネゴシエータ１０１８に更に結合される。例えば、アクセス端末が、このようなアクセス端末に割り当てられたクラスのために規定された範囲外の電力レベルで送信しようと意図している場合、クラス・ネゴシエータ１０１８は、意図された送信電力レベルを含む範囲を伴う、適切な異種クラスを選択することを調整しうる。クラス・ネゴシエータ１０１８は、本明細書において説明されたようなアクセス端末１００４のための動作モードの選択を調整するモード・ネゴシエータ１０２０に動作可能なように結合されうる。クラス・ネゴシエータ１０１８は、図４のクラス・ネゴシエータ４０８に実質的に類似しうる、および／あるいは、モード・ネゴシエータ１０２０は、図４のモード・ネゴシエータ４１０に実質的に類似しうるということが考えられる。基地局１００２は更に、変調器１０２２を更に含みうる。これは、アンテナ１００８を介する、送信機１０２４によるアクセス端末１００４への伝送のためのフレームを多重化しうる。プロセッサ１０１４から分離して図示されているが、クラス・ネゴシエータ１０１８、モード・ネゴシエータ１０２０、および／あるいは変調器１０２２は、プロセッサ１０１４あるいは多数のプロセッサ（図示せず）の一部でありうるということが認識されるべきである。
【００７６】
図１１は、実例的な無線通信システム１１００を示す。無線通信システム１１００は、簡潔さのために、１つの基地局１１１０と、１つのアクセス端末１１５０を図示している。しかし、システム１１００が、１つの基地局よりも多くの基地局および／あるいは、１つのアクセス端末よりも多くのアクセス端末を含みうること、ここにおいて、付加的な基地局および／あるいはアクセス端末は、以下に説明される実例的な基地局１１１０およびアクセス端末１１５０に実質的に類似しうるし、あるいはそれらとは異なりうるということが認識されるべきである。更に、基地局１１１０および／あるいはアクセス端末１１５０は、本明細書において説明されたシステム（図１乃至図５と、図９および図１０と、図１２および図１３）および／あるいは方法（図６乃至図８）を用いて、それらの間の無線通信を容易にしうるということが認識されるべきである。
【００７７】
基地局１１１０において、多数のデータ・ストリームのためのトラフィック・データが、データ・ソース１１１２から送信（ＴＸ）データ・プロセッサ１１１４に提供される。実例によると、各データ・ストリームは、それぞれのアンテナによって送信されうる。ＴＸデータ・プロセッサ１１１４は、データ・ストリームのために選択された特定の符号化スキームに基づいて、そのトラフィック・データをフォーマット、符号化、およびインタリーブして、符号化されたデータを提供する。
【００７８】
各データ・ストリームのための符号化されたデータは、直交周波数分割多重化（ＯＦＤＭ）技術を使用して、パイロット・データと共に多重化されうる。付加的あるいは代替的に、パイロット・シンボルは、周波数分割多重化（ＦＤＭ）、時分割多重化（ＴＤＭ）、あるいは符号化分割多重化（ＣＤＭ）されうる。このパイロット・データは、一般的に、周知のやり方で処理される周知のデータ・パターンであり、チャネル応答を推定するためにアクセス端末１１５０において使用されうる。各データ・ストリームのための多重化されたパイロットおよび符号化されたデータは、そのデータ・ストリームのために選択された、特定の変調スキーム（例えば、二相位相変調（ＢＰＳＫ）、四相位相変調（ＱＰＳＫ）、Ｍ相位相変調（Ｍ−ＰＳＫ）、Ｍ−直交振幅変調（Ｍ−ＱＡＭ）など）に基づいて変調（例えば、シンボル・マッピング）され、変調シンボルが提供されうる。各データ・ストリームのためのデータ・レート、符号化、変調は、プロセッサ１１３０によって実行あるいは提供された命令群によって決定されうる。
【００７９】
データ・ストリームのための変調シンボルは、ＴＸ  ＭＩＭＯプロセッサ１１２０に提供されうる。これは、（例えば、ＯＦＤＭのために）変調シンボルを更に処理しうる。ＴＸ  ＭＩＭＯプロセッサ１１２０はその後、ＮＴ個の送信機（ＴＭＴＲ）１１２２ａ乃至１１２２ｔにＮＴ個の変調シンボル・ストリームを提供する。様々な実施形態において、ＴＸ  ＭＩＭＯプロセッサ１１２０は、ビームフォーミング重みをデータ・ストリームのシンボルと、そのシンボルを送信しているアンテナに適用する。
【００８０】
各送信機１１２２は、それぞれのシンボル・ストリームを受信および処理して１又は複数のアナログ信号を提供し、更にアナログ信号を調整（例えば、増幅、フィルタ、およびアップコンバート）してＭＩＭＯチャネルによる伝送に適切な変調された信号を提供する。更に、送信機１１２２ａ乃至１１２２ｔからのＮＴ個の変調された信号は、ＮＴ個のアンテナ１１２４ａ乃至１１２４ｔのそれぞれから送信される。
【００８１】
アクセス端末１１５０において、送信された変調された信号はＮＲ個のアンテナ１１５２ａ乃至１１５２ｒによって受信され、各アンテナ１１５２から受信された信号は、それぞれの受信機（ＲＣＶＲ）１１５４ａ乃至１１５４ｒに提供される。各受信機１１５４は、それぞれの信号を調整（フィルタ、増幅、およびダウンコンバート）し、調整された信号をデジタル化してサンプルを提供し、更に、サンプルを処理して対応する「受信された」シンボル・ストリームを提供する。
【００８２】
ＲＸデータ・プロセッサ１１６０は、特定の受信機処理技術に基づいて、受信されたＮＲ個のシンボル・ストリームをＮＲ個の受信機１１５４から受信および処理して、ＮＴ個の「検出された」シンボル・ストリームを提供しうる。ＲＸデータ・プロセッサ１１６０は、各検出されたシンボル・ストリームを変調、デインタリーブ、および復号して、データ・ストリームのためのトラフィック・データを復元しうる。ＲＸデータ・プロセッサ１１６０による処理は、基地局１１１０においてＴＸ  ＭＩＭＯプロセッサ１１２０およびＴＸデータ・プロセッサ１１１４によって実行される処理に対して相補的である。
【００８３】
プロセッサ１１７０は、上述されたように、どの利用可能な技術を利用するかを周期的に決定しうる。更に、プロセッサ１１７０は、行列インデックス部およびランク値部を備える逆方向リンク・メッセージを公式化しうる。逆方向リンク・メッセージは、通信リンクおよび／あるいは受信されたデータ・ストリーム、に関する様々な種類の情報を備えうる。逆方向リンク・メッセージは、データ・ソース１１３６からの多数のデータ・ストリームのためのトラフィック・データも受信するＴＸデータ・プロセッサ１１３８によって処理され、変調器１１８０によって変調され、送信機１１５４ａ乃至１１５４ｒによって調整され、基地局１１１０に送信し返されうる。
【００８４】
基地局１１１０において、アクセス端末１１５０からの変調された信号は、アンテナ１１２４によって受信され、受信機１１２２によって調整され、復調器１１４０によって復調され、ＲＸデータ・プロセッサ１１４２によって処理されて、アクセス端末１１５０によって送信された逆方向リンク・メッセージが抽出される。更に、プロセッサ１１３０は、抽出されたメッセージを処理して、ビームフォーミング重みを決定するためにどの事前符号化行列を使用するかを決定しうる。
【００８５】
プロセッサ１１３０、１１７０は、基地局１１１０およびアクセス端末１１５０における動作をそれぞれ指示（例えば、制御、コーディネート、管理など）しうる。それぞれのプロセッサ１１３０、１１７０は、プログラム・コードおよびデータを格納するメモリ１１３２、１１７２に関連付けられうる。プロセッサ１１３０、１１７０は更に、上りリンクおよび下りリンクのそれぞれについての周波数およびインパルス応答の推定値を導出するために計算を実行しうる。
【００８６】
１つの態様において、論理チャネルは制御チャネルおよびトラフィック・チャネルに分類される。論理制御チャネルは、ブロードキャスト制御チャネル（ＢＣＣＨ）を含みうる。これは、ブロードキャスト・システム制御情報のためのＤＬチャネルである。更に、論理制御チャネルは、ページング制御チャネル（ＰＣＣＨ）を含みうる。これは、ページング情報を転送するＤＬチャネルである。更に、論理制御チャネルは、マルチキャスト制御チャネル（ＭＣＣＨ）を備えうる。これは、１又はいくつかのＭＴＣＨのための制御情報と、マルチメディア・ブロードキャストおよびマルチキャスト・サービス（ＭＢＭＳ）スケジューリングとを送信するために使用されるポイント・ツー・マルチポイントＤＬチャネルである。一般的に、ラジオ・リソース制御（ＲＲＣ）接続を確立した後、このチャネルはＭＢＭＳ（例えば、古いＭＣＣＨ＋ＭＳＣＨ）を受信するＵＥによって使用されるのみである。付加的に、論理制御チャネルは、個別制御チャネル（ＤＣＣＨ）を含みうる。これは、個別制御情報を送信するポイント・ツー・ポイント双方向チャネルであり、ＲＲＣ接続を有するＵＥによって使用されうる。１つの態様において、論理トラフィック・チャネルは、個別トラフィック・チャネル（ＤＴＣＨ）を備えうる。これは、ユーザ情報の転送のための１ユーザ専用のポイント・ツー・ポイント双方向チャネルである。更に、論理トラフィック・チャネルは、トラフィック・データを送信するために、ポイント・ツー・マルチポイントＤＬのためのマルチキャスト・トラフィック・チャネル（ＭＴＣＨ）を含みうる。
【００８７】
１つの態様において、トランスポート・チャネルはＤＬおよびＵＬに分類される。ＤＬトランスポート・チャネルはブロードキャスト・チャネル（ＢＣＨ）と、ダウンリンク共有データ・チャネル（ＤＬ−ＳＤＣＨ）と、ページング・チャネル（ＰＣＨ）とを備える。ＰＣＨは、全セルを通してブロードキャストされることと、他の制御／トラフィック・チャネルのために使用されうる物理層（ＰＨＹ）リソースにマッピングされることとによって、ＵＥ節電をサポートしうる（間欠受信（ＤＲＸ）周期がネットワークによってＵＥに示されうる）。ＵＬトランスポート・チャネルは、ランダム・アクセス・チャネル（ＲＡＣＨ）と、リクエスト・チャネル（ＲＥＱＣＨ）と、アップリンク共有データ・チャネル（ＵＬ−ＳＤＣＨ）と、複数のＰＨＹチャネルとを備えうる。
【００８８】
ＰＨＹチャネルは、ＤＬチャネルおよびＵＬチャネルのセットを含みうる。ＤＬ  ＰＨＹチャネルは、例えば、共通パイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／あるいは、負荷インジケータ・チャネル（ＬＩＣＨ）を備える。更なる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有リクエスト・チャネル（ＳＲＥＱＣＨ）、ＵＬ物理共有データ・チャネル（ＵＬ−ＰＳＤＣＨ）、および／あるいはブロードバンド・パイロット・チャネル（ＢＰＩＣＨ）を含みうる。
【００８９】
本明細書において説明される実施形態は、ハードウェア、ソフトウェア、ファームウェア、ミドルウェア、マイクロコード、あるいはそれら任意の組合せにおいて実施されうるということが理解されるべきである。ハードウェアにおける実施では、１又は複数の特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、制御装置、マイクロ制御装置、マイクロプロセッサ、本明細書で説明される機能を実行するように設計されたその他の電子ユニット、あるいはそれらの組合せ内で、処理ユニットが実現されうる。
【００９０】
実施形態がソフトウェア、ファームウェア、ミドルウェア又はマイクロコード、プログラム・コード又はコード・セグメントにおいて実施される場合、これらは記憶装置構成要素のような機械読取可能媒体に格納されうる。コード・セグメントは、手順か、機能か、サブプログラムか、プログラムか、ルーティンか、サブルーティンか、モジュールか、ソフトウェア・パッケージか、クラスか、あるいは、命令群、データ構築、又はプログラム文からなる任意の組合せかを表しうる。コード・セグメントは、情報、データ、引数、パラメータ、あるいはメモリ・コンテンツをパスおよび／あるいは受信することによって、別のコード・セグメントあるいはハードウェア回路に結合されうる。情報、引数、パラメータ、データなどが、メモリ共有、メッセージ・パッシング、トークン・パッシング、ネットワーク伝送などを含む任意の適切な手段を使用して、パス、フォワード、あるいは送信されうる。
【００９１】
ソフトウェアにおける実施では、本明細書において説明される技術は、本明細書において説明される機能を実行するモジュール（例えば、手順や機能など）を用いて実施される。ソフトウェア・コードは、メモリ・ユニットに格納され、プロセッサによって実行されうる。メモリ・ユニットは、プロセッサ内に、あるいはプロセッサの外側に実現されうる。プロセッサの外側の場合、メモリ・ユニットは当該技術分野において周知の様々な手段によって、通信可能なようにプロセッサに結合されうる。
【００９２】
図１２を参照すると、無線通信環境において、熱関連の条件に応じて、ＷＷＡＮモジュールのための送信電力をスロットリングすることを可能にするシステム１２００が例示されている。例えば、システム１２００は、少なくとも部分的にアクセス端末内に存在しうる。システム１２００は機能ブロックを含むように表され、これは、プロセッサ、ソフトウェア、あるいはそれらの組合せ（例えば、ファームウェア）によって実施される機能を表す機能ブロックでありうるということが認識されるべきである。システム１２００は、併せて動作しうる電子構成要素の論理グループ１２０２を含む。例えば、論理グループ１２０２は、検出された温度か、コンピューティング・デバイスからの信号か、代替技術のモジュールからの信号かのうちの少なくとも１つに基づいて、ＷＷＡＮモジュールによって利用される目標送信電力を調節する電子構成要素１２０４を含みうる。更に、論理グループ１２０２は、調節された目標送信電力が、以前に割り当てられたクラスによって示される範囲外である場合、基地局とネゴシエートして、ＷＷＡＮモジュールによって使用される更新されたクラスを選択する電子構成要素１２０６を含みうる。更に、論理グループ１２０２は、更新されたクラスがＷＷＡＮモジュールに対して不十分であると判定された場合、基地局とネゴシエートして、ＷＷＡＮモジュールによって用いられる更新された動作モードを選択する電子構成要素１２０８を備えうる。（図示されていないが）更なる例示として、論理グループ１２０２は更に、調節された目標送信電力に等しいあるいはそれよりも低い送信電力、更新されたクラス、および／あるいは更新された動作モードのうちの少なくとも１つを利用して、データを送信する電子構成要素を含みうる。更に、システム１２００は、電子構成要素１２０４、１２０６、１２０８に関連付けられた機能を実行する命令群を保持するメモリ１２１０を含みうる。メモリ１２１０の外部にあるように図示されているが、電子構成要素１２０４、１２０６、１２０８のうちの１又は複数が、メモリ１２１０内に存在しうるということが理解されるべきである。
【００９３】
図１３を参照すると、無線通信環境において、熱入力に応じてＷＷＡＮモジュールによって用いられる送信電力の制御を調整することを可能にするシステム１３００が例示される。例えば、システム１３００は、少なくとも部分的に基地局内に存在しうる。システム１３００は機能ブロックを含むように表され、これは、プロセッサ、ソフトウェア、あるいはそれらの組合せ（例えば、ファームウェア）によって実施される機能を表す機能ブロックでありうるということが認識されるべきである。システム１３００は、併せて動作しうる電子構成要素の論理グループ１３０２を含む。例えば、論理グループ１３０２は、ＷＷＡＮモジュールによって使用される調節された目標送信電力が、以前に割り当てられたクラスによって示される範囲外である場合、ＷＷＡＮモジュールとネゴシエートして、ＷＷＡＮモジュールによって使用される更新されたクラスを選択する電子構成要素１３０４を含みうる。更に、論理グループ１３０２は、更新されたクラスがＷＷＡＮモジュールに対して不十分であると判定された場合、ＷＷＡＮモジュールとネゴシエートして、ＷＷＡＮモジュールによって用いられる更新された動作モードを選択する電子構成要素１３０６を備えうる。更に、論理グループ１３０２は、調節された目標送信電力に等しい、あるいはそれよりも低い送信電力を利用してＷＷＡＮモジュールによって送られたデータを受信する電子構成要素１３０８を含みうる。更に、システム１３００は、電子構成要素１３０４、１３０６、１３０８に関連付けられた機能を実行する命令群を保持するメモリ１３１０を含みうる。メモリ１３１０の外部にあるように図示されているが、電子構成要素１３０４、１３０６、１３０８のうちの１又は複数が、メモリ１３１０内に存在しうるということが理解されるべきである。
【００９４】
上述の内容は、１又は複数の実施形態の実例を含む。もちろん、前述された実施形態を説明するために、構成要素あるいは方法体系の想到しうる全ての組合せを説明するのは不可能であるが、様々な実施形態からなる多くの更なる組合せあるいは置換えが可能であるということを当業者は認識しうる。従って、説明された実施形態は、添付の請求項の精神および技術的範囲に含まれるこのような全ての変更、変形、およびバリエーションを包含するよう意図されている。更に、詳細な説明あるいは請求項のいずれかにおいて用語「含む（includes)」が使用される場合にあたって、このような用語は、用語「備えること（comprising）」と類似して、「備えること」が請求項において遷移語として用いられる場合のように包括的であることが意図されている。
【図１】
2014014088.tif 000003
【図２】
2014014088.tif 000004
【図３】
2014014088.tif 000005
【図４】
2014014088.tif 000006
【図５】
2014014088.tif 000007
【図６】
2014014088.tif 000008
【図７】
2014014088.tif 000009
【図８】
2014014088.tif 000010
【図９】
2014014088.tif 000011
【図１０】
2014014088.tif 000012
【図１１】
2014014088.tif 000013
【図１２】
2014014088.tif 000014
【図１３】
2014014088.tif 000015
【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
無線通信システム環境において、ＷＷＡＮモジュールの送信電力をスロットリングすることを容易にする方法であって、
取得された温度関連の入力に応じて、ＷＷＡＮモジュールによって利用される目標送信電力を決定することと、
基地局とネゴシエートして、前記目標送信電力への遷移を調整することと、
前記目標送信電力あるいはそれ未満の送信電力で、前記ＷＷＡＮモジュールによってデータを送ることと
を備える方法。
【手続補正２】
【補正対象書類名】明細書
【補正対象項目名】００９４
【補正方法】変更
【補正の内容】
【００９４】
上述の内容は、１又は複数の実施形態の実例を含む。もちろん、前述された実施形態を説明するために、構成要素あるいは方法体系の想到しうる全ての組合せを説明するのは不可能であるが、様々な実施形態からなる多くの更なる組合せあるいは置換えが可能であるということを当業者は認識しうる。従って、説明された実施形態は、添付の請求項の精神および技術的範囲に含まれるこのような全ての変更、変形、およびバリエーションを包含するよう意図されている。更に、詳細な説明あるいは請求項のいずれかにおいて用語「含む（includes)」が使用される場合にあたって、このような用語は、用語「備えること（comprising）」と類似して、「備えること」が請求項において遷移語として用いられる場合のように包括的であることが意図されている。
以下に本件出願当初の特許請求の範囲に記載された発明を付記する。
［１］  無線通信システム環境において、ＷＷＡＮモジュールの送信電力をスロットリングすることを容易にする方法であって、取得された温度関連の入力に応じて、ＷＷＡＮモジュールによって利用される目標送信電力を決定することと、基地局とネゴシエートして、前記目標送信電力への遷移を調整することと、前記目標送信電力あるいはそれ未満の送信電力で、前記ＷＷＡＮモジュールによってデータを送ることと
を備える方法。
［２］  前記ＷＷＡＮモジュールは、コンピューティング・デバイスに含まれるか、あるいは前記コンピューティング・デバイスに取り外し可能なように接続可能かのうちの少なくとも１つである［１］記載の方法。
［３］  前記取得された温度関連の入力は、検出された温度である［１］記載の方法。
［４］  前記検出された温度がしきい値温度を上回る量に基づいて、前記目標送信電力を選択することを更に備える［３］記載の方法。
［５］  前記検出された温度がしきい値温度よりも高いと認識された場合に、以前の目標送信電力を予め定められた量だけ下げることによって、前記目標送信電力を決定することを更に備える［３］記載の方法。
［６］  前記取得された温度関連の入力は、外部ソースからの温度関連の入力である［１］記載の方法。
［７］  前記外部ソースは、前記ＷＷＡＮモジュールに関連付けられたコンピューティング・デバイスか、前記ＷＷＡＮモジュールに関連付けられた代替技術のモジュールかのうちの少なくとも１つである［６］記載の方法。
［８］  前記外部ソースからの温度関連の入力は、最大送信電力を下げるよう求める要求か、あるいは前記外部ソースによってもたらされる温度測定かのうちの少なくとも１つを含む［６］記載の方法。
［９］  前記目標送信電力が、前記ＷＷＡＮモジュールのための以前に割り当てられた第１のクラスに関連付けられた範囲外である場合、前記基地局とネゴシエートして、前記ＷＷＡＮモジュールのための第２のクラスを協働的に選択することを更に備える［１］記載の方法。
［１０］  最も低い実用的クラスが前記ＷＷＡＮモジュールに割り当てられたと判定されると、前記基地局とネゴシエートして、前記ＷＷＡＮモジュールによって用いられるための動作モードを協働的に選択することを更に備える［１］記載の方法。
［１１］  前記取得された温度関連の入力に基づいて、前記ＷＷＡＮモジュールのクラスを動的に調節することと、前記クラスの調節に関して、前記基地局に通知するための「ＵＥ機能情報」コマンドを送信することと、前記クラスの調節に基づいて、対応するデータ・レートを選択することを可能にする「トランスポート・フォーマット・コンビネーション制御」コマンドを受信することとを更に備え、前記対応するデータ・レートは、出力熱電力に相関する［１］記載の方法。
［１２］  前記モジュールが前記基地局に近接して位置している場合、前記目標送信電力未満でデータを送ることと、前記ＷＷＡＮモジュールが前記基地局に関連付けられたセルの端に位置する場合、前記目標送信電力でデータを送ることとを更に備える［１］記載の方法。
［１３］  無線通信装置は、ＷＷＡＮモジュールと、温度に関する受信された入力に基づいて、前記ＷＷＡＮモジュールのための目標送信電力を選択することと、基地局と協働して前記選択された目標送信電力への遷移を調整するためにことと、前記ＷＷＡＮモジュールを用いて、前記目標送信電力あるいはそれ未満の送信電力で、データを送信することとに関連する命令群を保持するメモリと、前記メモリ内に保持された命令群を実行するように構成された、前記メモリに結合されたプロセッサと
を備える無線通信装置。
［１４］  前記ＷＷＡＮモジュールは、前記無線通信装置のマザーボードのソケットに結合されるか、前記無線通信装置に取り外し可能なように接続可能であるかのうちの少なくとも１つである［１３］記載の無線通信装置。
［１５］  前記温度に関する受信された入力は、測定された温度である［１３］記載の無線通信装置。
［１６］  前記メモリは、前記測定された温度がしきい値温度を上回る量の線形関数として、前記目標送信電力を選択することに関連する命令群を更に保持する［１５］記載の無線通信装置。
［１７］  前記メモリは、測定された温度がしきい値温度よりも高いと判定されるか、熱電力が下げられることを要求する信号がコンピューティング・デバイスから受信されるか、あるいは前記熱電力を下げるよう求める要求が代替技術のモジュールから受信されるかのうちの少なくとも１つである場合に、前記モジュールのための目標送信電力を予め定められた量だけ下げることに関連する命令群を更に保持する［１３］記載の無線通信装置。
［１８］  前記温度に関する受信された入力は、コンピューティング・デバイスあるいは代替技術のモジュールのうちの少なくとも１つである外部ソースから取得され、ここで、前記代替技術のモジュールは、ＷｉＦｉあるいはＷｉＭａｘのうちの少なくとも１つに関連付けられている［１３］記載の無線通信装置。
［１９］  前記メモリは、前記目標送信電力が、前記ＷＷＡＮモジュールのための以前に割り当てられた第１のクラスに関連付けられた範囲外である場合、前記基地局とネゴシエートして、前記ＷＷＡＮモジュールのための第２のクラスを協働的に選択することに関連する命令群を更に保持する［１３］記載の無線通信装置。
［２０］  前記メモリは、最も低い実用的クラスが前記ＷＷＡＮモジュールに割り当てられたと判定されると、前記基地局とネゴシエートして、前記ＷＷＡＮモジュールによって用いられるための動作モードを協働的に選択することに関連する命令群を更に保持する［１３］記載の無線通信装置。
［２１］  無線通信環境において、熱関連の条件に応じて、ＷＷＡＮモジュールのための送信電力をスロットリングすることを可能にする無線通信装置であって、温度関連の入力に基づいて、ＷＷＡＮモジュールによって利用される目標送信電力を調節する手段と、前記調節された目標送信電力が、以前に割り当てられたクラスによって示される範囲外である場合に、基地局とネゴシエートして、前記ＷＷＡＮモジュールによって使用される更新されたクラスを選択する手段と、前記更新されたクラスが、前記ＷＷＡＮモジュールに対して不十分であると判定された場合、前記基地局とネゴシエートして、前記ＷＷＡＮモジュールによって用いられるための更新された動作モードを選択する手段とを備える無線通信装置。
［２２］  前記ＷＷＡＮモジュールは、コンピューティング・デバイスのマザーボードに結合されているか、あるいは前記コンピューティング・デバイスに取り外し可能なように接続可能であるかのうちの１又は複数である［２１］記載の無線通信装置。
［２３］  前記調節された目標送信電力に等しいあるいはそれよりも低い送信電力か、前記更新されたクラスか、前記更新された動作モードのうちの少なくとも１つを利用して、データを送信する手段を更に備える［２１］記載の無線通信装置。
［２４］  検出された温度がしきい値温度を超える量の線形関数として、前記調節された目標送信電力を選択する手段を更に備え、前記検出された温度は、前記温度関連の入力の少なくとも一部である［２１］記載の無線通信装置。
［２５］  検出された温度がしきい値温度よりも高いか、前記コンピューティング・デバイスからの信号が、熱電力が下げられるよう要求するか、あるいは前記代替技術のモジュールからの信号が、前記熱電力が下げられるよう要求するかのうちの少なくとも１つである場合に、前記モジュールのための目標送信電力を事前に設定された量だけ低減する手段を更に備える［２１］記載の無線通信装置。
［２６］  コンピュータ読取可能媒体を備えるコンピュータ・プログラム製品であって、前記コンピュータ読取可能媒体は、予めプログラムされたセットポイント引く熱アルゴリズム調節を評価することによって、ＷＷＡＮモジュールのための目標送信電力を決定するためのコードと、前記ＷＷＡＮモジュールによって検出された温度をしきい値温度と比較するためのコードと、前記ＷＷＡＮモジュールによって検出された温度が前記しきい値温度を超える場合、前記目標送信電力を予め定められた量だけ下げるためのコードとを備えるコンピュータ・プログラム製品。
［２７］  前記コンピュータ読取可能媒体は、前記下げられた目標送信電力が、前記ＷＷＡＮモジュールに割り振られた第１のクラスによる許容目標送信電力よりも低いかどうかを判定するためのコードと、前記下げられた目標送信電力が、前記ＷＷＡＮモジュールに割り振られた第１のクラスによる許容目標送信電力よりも低い場合、ネットワークを用いて、より低い第２のクラスに対してネゴシエートするためのコードとを更に備える［２６］記載のコンピュータ・プログラム製品。
［２８］  前記コンピュータ読取可能媒体は、前記下げられた目標送信電力が、前記ＷＷＡＮモジュールに割り振られた第１のクラスによる許容目標送信電力よりも高い場合、前記ＷＷＡＮモジュールによって検出された温度を、前記しきい値温度と継続的に比較するためのコードを更に備える［２７］記載のコンピュータ・プログラム製品。
［２９］  前記コンピュータ読取可能媒体は、前記より低い第２のクラスが、前記ＷＷＡＮモジュールによって取得された最も低い実用的クラスであるかどうかを判定するためのコードと、前記より低い第２のクラスが、前記ＷＷＡＮモジュールによって取得された最も低い実用的クラスである場合、実質的に異なる動作モードに対してネゴシエートするためのコードとを更に備える［２７］記載のコンピュータ・プログラム製品。
［３０］  前記コンピュータ読取可能媒体は、前記より低い第２のクラスが、前記ＷＷＡＮモジュールによって取得された最も低い実用的クラスではない場合、前記ＷＷＡＮモジュールによって検出された温度を、前記しきい値温度と継続的に比較するためのコードを更に備える［２９］記載のコンピュータ・プログラム製品。
［３１］  前記コンピュータ読取可能媒体は、熱電力を下げるよう求めるノートブック要求が受信されるか、前記熱電力を下げるよう求める代替技術の要求が受信されるかのうちの少なくとも１つである場合に、前記目標送信電力を予め定められた量だけ下げるためのコードを更に備える［２６］記載のコンピュータ・プログラム製品。
［３２］  無線通信システムにおける装置であって、  温度関連の入力に基づいて、ＷＷＡＮモジュールによって利用される目標送信電力を変更し、前記変更された目標送信電力が、以前に割り当てられたクラスによって示される範囲外である場合、基地局とネゴシエートして、前記ＷＷＡＮモジュールによって使用される更新されたクラスを選択し、前記更新されたクラスが、前記ＷＷＡＮモジュールに対して不十分であると判定された場合、前記基地局とネゴシエートして、前記ＷＷＡＮモジュールによって用いられる更新された動作モードを選択するように構成されたプロセッサを備える装置。
［３３］  無線通信環境において、熱入力に基づいて、ＷＷＡＮモジュール送信電力の変更を調整することを容易にする方法であって、第１の目標送信電力レベル、あるいはそれ未満の送信電力レベルでＷＷＡＮモジュールから送られたデータを受信することと、前記ＷＷＡＮモジュールとネゴシエートして、第２の目標送信電力レベルへの遷移を調整することであって、前記第２の目標送信電力レベルへの遷移は、前記ＷＷＡＮモジュールによって取得された温度関連の入力に応じることと、前記遷移の後に、前記第２の目標送信電力レベルあるいはそれ未満の送信電力レベルで前記ＷＷＡＮモジュールから送られたデータを受信することとを備える方法。
［３４］  前記ＷＷＡＮモジュールと共に協働的にクラスを選択することを更に備える［３３］記載の方法。
［３５］  前記第２の目標送信電力レベルが、前記ＷＷＡＮモジュールに割り振られた第１のクラスによる許容目標送信電力よりも低い場合、前記ＷＷＡＮモジュールによって使用される、より低い第２のクラスを選択することを更に備える［３３］記載の方法。
［３６］  第１の動作モードを用いている間、前記より低い第２のクラスが前記ＷＷＡＮに対して実用的でない場合、前記ＷＷＡＮモジュールによって使用される第２の動作モードを選択することを更に備える［３５］記載の方法。
［３７］  第１の目標送信電力レベルから、ＷＷＡＮモジュールによって使用される第２の目標送信電力レベルへの遷移を調整することであって、前記遷移は、前記ＷＷＡＮモジュールによって取得される温度関連の入力に基づくことと、前記遷移の後に、前記第２の目標送信電力レベル、あるいはそれ未満の送信電力レベルで前記ＷＷＡＮモジュールから送られたデータを取得することとに関連する命令群を保持するメモリと、前記メモリ内に保持された命令群を実行するように構成され、前記メモリに結合されたプロセッサと
を備える無線通信装置。
［３８］  前記メモリは、前記ＷＷＡＮモジュールと共に協働的にクラスを選択することに関連する命令群を更に保持する［３７］記載の無線通信装置。
［３９］  前記メモリは、前記第２の目標送信電力レベルが、前記ＷＷＡＮモジュールに割り振られた第１のクラスによる許容目標送信電力よりも低い場合に、前記ＷＷＡＮモジュールによって使用される、より低い第２のクラスを協働的に選択することに関連する命令群を更に保持する［３７］記載の無線通信装置。
［４０］  前記メモリは、第１の動作モードを用いられている間、前記より低い第２のクラスが前記ＷＷＡＮに対して実用的でない場合、前記ＷＷＡＮモジュールによって使用される第２の動作モードを選択することに関連する命令群を更に保持する［３９］記載の無線通信装置。
［４１］  無線通信環境において、熱入力に応じてＷＷＡＮモジュールによって用いられる送信電力の制御を調整することを可能にする無線通信装置であって、ＷＷＡＮモジュールによって使用される調節された目標送信電力が、以前に割り当てられたクラスに示される範囲外である場合、前記ＷＷＡＮモジュールとネゴシエートして、前記ＷＷＡＮモジュールによって使用される更新されたクラスを選択する手段と、前記更新されたクラスが、前記ＷＷＡＮモジュールに対して不十分であると判定された場合、前記ＷＷＡＮモジュールとネゴシエートして、前記ＷＷＡＮモジュールによって用いられる更新された動作モードを選択する手段と、前記調節された目標送信電力に等しい、あるいはそれよりも低い送信電力を利用して前記ＷＷＡＮモジュールによって送られたデータを受信する手段と
を備える無線通信装置。
［４２］  前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである［４１］記載の無線通信装置。
［４３］  前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、あるいはジェネラル・パケット・ラジオ・サービス（ＧＰＲＳ）かのうちの１つである［４１］記載の無線通信装置。
［４４］  コンピュータ読取可能媒体を備えるコンピュータ・プログラム製品であって、前記コンピュータ読み取り可能媒体は、  ＷＷＡＮモジュールによって使用される調節された目標送信電力が、以前に割り当てられたクラスによって示される範囲外である場合、前記ＷＷＡＮモジュールとネゴシエートして、前記ＷＷＡＮモジュールによって使用される更新されたクラスを識別するためのコードと、  前記更新されたクラスが、前記ＷＷＡＮモジュールに対して不十分であると判定された場合、前記ＷＷＡＮモジュールとネゴシエートして、前記ＷＷＡＮモジュールによって用いられる更新された動作モードを決定するためのコードと、  前記調節された目標送信電力に等しい、あるいはそれよりも低い送信電力を利用して前記ＷＷＡＮモジュールによって送られたデータを受信するためのコードとを備えるコンピュータ・プログラム製品。
［４５］  前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである［４４］記載のコンピュータ・プログラム製品。
［４６］  前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、あるいはジェネラル・パケット・ラジオ・サービス（ＧＰＲＳ）かのうちの１つである［４４］記載のコンピュータ・プログラム製品。
［４７］  無漸通信システムにおける装置であって、第１の目標送信電力レベルあるいはそれ未満の送信電力レベルでＷＷＡＮモジュールから送られたデータを受信することと、前記ＷＷＡＮモジュールとネゴシエートして、第２の目標送信電力レベルへの遷移を調整することであって、前記第２の目標送信電力レベルへの遷移は、前記ＷＷＡＮモジュールによって取得された温度関連の入力に応じることと、前記遷移の後に、前記第２の目標送信電力レベルあるいはそれ未満の送信電力レベルで前記ＷＷＡＮモジュールにから送られたデータを受信することとを実行するように構成されたプロセッサを備える装置。
【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
無線通信環境において、ＷＷＡＮモジュールの送信電力を調節することを容易にする方法であって、
取得された温度関連の入力に応じて、ＷＷＡＮモジュールによって利用される目標送信電力を決定することと、
前記目標送信電力が前記ＷＷＡＮモジュールのために以前に割り当てられた第１のクラスに関連づけられた範囲外である場合、前記ＷＷＡＮモジュールのための第２のクラスを選択するために基地局と通信することと、
前記目標送信電力への遷移を調整するため前記基地局と通信することと、
前記目標送信電力以下の送信電力で、前記ＷＷＡＮモジュールによってデータを送ることと
を備える方法。
【請求項２】
前記ＷＷＡＮモジュールは、コンピューティング・デバイスに含まれること、及び前記コンピューティング・デバイスに着脱可能に接続できることの少なくとも１つである請求項１記載の方法。
【請求項３】
前記取得された温度関連の入力は、検出された温度である請求項１記載の方法。
【請求項４】
前記検出された温度がしきい値温度を上回る量に基づいて、前記目標送信電力を選択することを更に備える請求項３記載の方法。
【請求項５】
前記検出された温度がしきい値温度よりも高いと認識された場合に、以前の目標送信電力を予め定められた量だけ下げることによって、前記目標送信電力を決定することを更に備える請求項３記載の方法。
【請求項６】
前記取得された温度関連の入力は、外部ソースからの温度関連の入力である請求項１記載の方法。
【請求項７】
前記外部ソースは、前記ＷＷＡＮモジュールに関連付けられたコンピューティング・デバイス及び前記ＷＷＡＮモジュールに関連付けられた代替技術のモジュールのうちの少なくとも１つである請求項６記載の方法。
【請求項８】
前記外部ソースからの温度関連の入力は、最大送信電力を下げるよう求める要求及び前記外部ソースによってもたらされる温度測定の少なくとも１つを含む請求項６記載の方法。
【請求項９】
最も低い実用的クラスが前記ＷＷＡＮモジュールに割り当てられたと決定されると、前記ＷＷＡＮモジュールによって用いられるための動作モードを協働的に選択するために前記基地局と通信することを更に備える請求項１記載の方法。
【請求項１０】
前記取得された温度関連の入力に基づいて、前記ＷＷＡＮモジュールのクラスを動的に調節することと、
前記クラスの調節に関して、前記基地局に通知するための「ＵＥ機能情報」コマンドを送信することと、
前記クラスの調節に基づいて、対応するデータ・レートを選択することを可能にする「トランスポート・フォーマット・コンビネーション制御」コマンドを受信することと
を更に備え、前記対応するデータ・レートは、出力熱電力に相関する請求項１記載の方法。
【請求項１１】
前記ＷＷＡＮモジュールが前記基地局の近接近内に位置している場合、前記目標送信電力未満でデータを送ることと、
前記ＷＷＡＮモジュールが前記基地局に関連付けられたセルの端に位置する場合、前記目標送信電力でデータを送ることと
を更に備える請求項１記載の方法。
【請求項１２】
前記基地局と通信することは、
前記ＷＷＡＮモジュールの機能の変更をシグナリングするメッセージを前記基地局に送信すること
を備える、請求項１記載の方法。
【請求項１３】
前記基地局と通信することは、
前記送信することに応答して、前記機能の変更が許可されたとの前記基地局からのアクノレッジメントをモニタリングすること
を更に備える、請求項１２記載の方法。
【請求項１４】
前記基地局と通信することは、
前記送信することに応答して、前記機能の変更が許可されたとの前記基地局からの確認を受信すること
を更に備える、請求項１２記載の方法。
【請求項１５】
無線通信装置であって、
ＷＷＡＮモジュールと、
温度に関する受信された入力に基づいて、前記ＷＷＡＮモジュールのための目標送信電力を選択することと、前記目標送信電力が前記ＷＷＡＮモジュールのために以前に割り当てられた第１のクラスに関連づけられた範囲外である場合、前記ＷＷＡＮモジュールのための第２のクラスを選択するため基地局と通信することと、前記選択された前記目標送信電力への遷移を調整するため前記基地局と協働することと、前記ＷＷＡＮモジュールを用いて、前記目標送信電力以下の送信電力で、データを送信することとに関連する命令群を保持するメモリと、
前記メモリに結合され、前記メモリ内に保持された命令群を実行するように構成されたプロセッサと
を備える無線通信装置。
【請求項１６】
前記ＷＷＡＮモジュールは、前記無線通信装置のマザーボードのソケットに結合されること及び前記無線通信装置に着脱可能に接続できることの少なくとも１つである請求項１５記載の無線通信装置。
【請求項１７】
前記温度に関する受信された入力は、測定された温度である請求項１５記載の無線通信装置。
【請求項１８】
前記メモリは、前記測定された温度がしきい値温度を上回る量の線形関数として、前記目標送信電力を選択することに関連する命令群を更に保持する請求項１７記載の無線通信装置。
【請求項１９】
前記メモリは、測定された温度がしきい値温度よりも高いと決定される、熱電力が下げられることを要求する信号がコンピューティング・デバイスから受信されること、及び前記熱電力を下げるよう求める要求が代替技術のモジュールから受信されることの少なくとも１つである場合に、前記ＷＷＡＮモジュールのための目標送信電力を予め定められた量だけ下げることに関連する命令群を更に保持する請求項１５記載の無線通信装置。
【請求項２０】
前記温度に関する受信された入力は、コンピューティング・デバイス及び代替技術のモジュールの少なくとも１つである外部ソースから取得され、ここで、前記代替技術のモジュールは、ＷｉＦｉ及びＷｉＭａｘの少なくとも１つに関連付けられている請求項１５記載の無線通信装置。
【請求項２１】
前記メモリは、最も低い実用的クラスが前記ＷＷＡＮモジュールに割り当てられたと決定されると、前記基地局と通信して、前記ＷＷＡＮモジュールによって用いられるための動作モードを協働的に選択することに関連する命令群を更に保持する請求項１５記載の無線通信装置。
【請求項２２】
無線通信環境において、熱関連の条件に応じて、ＷＷＡＮモジュールのための送信電力をスロットリングすることを可能にする無線通信装置であって、
温度関連の入力に基づいて、ＷＷＡＮモジュールによって利用される目標送信電力を調節する手段と、
前記調節された目標送信電力が、以前に割り当てられたクラスによって示される範囲外である場合に、基地局と通信して、前記ＷＷＡＮモジュールによって使用される更新されたクラスを選択する手段と、
前記更新されたクラスが、前記ＷＷＡＮモジュールに対して不十分であると決定された場合、前記基地局と通信して、前記ＷＷＡＮモジュールによって用いられるための更新された動作モードを選択する手段と
を備える無線通信装置。
【請求項２３】
前記ＷＷＡＮモジュールは、コンピューティング・デバイスのマザーボードに結合されていること、及び前記コンピューティング・デバイスに着脱可能に接続できることの少なくとも１つである請求項２２記載の無線通信装置。
【請求項２４】
前記調節された目標送信電力に等しいあるいはそれよりも低い送信電力か、前記更新されたクラス及び前記更新された動作モードの少なくとも１つを利用して、データを送信する手段を更に備える請求項２２記載の無線通信装置。
【請求項２５】
検出された温度がしきい値温度を超える量の線形関数として、前記調節された目標送信電力を選択する手段を更に備え、前記検出された温度は、前記温度関連の入力の少なくとも一部である請求項２２記載の無線通信装置。
【請求項２６】
検出された温度がしきい値温度よりも高い、前記コンピューティング・デバイスからの信号が、熱電力が下げられるよう要求すること、及び前記代替技術のモジュールからの信号が、前記熱電力が下げられるよう要求することの少なくとも１つである場合に、前記ＷＷＡＮモジュールのための目標送信電力を事前に設定された量だけ低減する手段を更に備える請求項２２記載の無線通信装置。
【請求項２７】
コンピュータ読取可能記憶媒体であって、
予めプログラムされたセットポイント引く熱アルゴリズム調節を評価することによって、ＷＷＡＮモジュールのための目標送信電力を決定するためのコードと、
前記ＷＷＡＮモジュールによって検出された温度をしきい値温度と比較するためのコードと、
前記目標送信電力が前記ＷＷＡＮモジュールのために以前に割り当てられた第１のクラスに関連づけられた範囲外である場合、前記ＷＷＡＮモジュールのための第２のクラスを選択するために基地局と通信するためのコードと、
前記ＷＷＡＮモジュールによって検出された温度が前記しきい値温度を超える場合、前記目標送信電力を予め定められた量だけ下げるためのコードと
を備えるコンピュータ読取可能記憶媒体。
【請求項２８】
コンピュータ読取可能記憶媒体であって、
予めプログラムされたセットポイント引く熱アルゴリズム調節を評価することによって、ＷＷＡＮモジュールのための目標送信電力を決定するためのコードと、
前記ＷＷＡＮモジュールによって検出された温度をしきい値温度と比較するためのコードと、
前記ＷＷＡＮモジュールによって検出された温度が前記しきい値温度を超える場合、前記目標送信電力を予め定められた量だけ下げるためのコードと、
前記下げられた目標送信電力が、前記ＷＷＡＮモジュールに割り振られた第１のクラスによる許容目標送信電力よりも低いかどうかを決定するためのコードと、
前記下げられた目標送信電力が、前記ＷＷＡＮモジュールに割り振られた第１のクラスによる許容目標送信電力よりも低い場合、ネットワークを用いて、より低い第２のクラスに対してネゴシエートするためのコードと
を備えるコンピュータ読取可能記憶媒体。
【請求項２９】
下げられた前記目標送信電力が、前記ＷＷＡＮモジュールに割り振られた第１のクラスによる許容目標送信電力よりも高い場合、前記ＷＷＡＮモジュールによって検出された温度を、前記しきい値温度と継続的に比較するためのコードを更に備える請求項２８記載のコンピュータ読取可能記憶媒体。
【請求項３０】
前記より低い第２のクラスが、前記ＷＷＡＮモジュールによって取得された最も低い実用的クラスであるかどうかを決定するためのコードと、
前記より低い第２のクラスが、前記ＷＷＡＮモジュールによって取得された最も低い実用的クラスである場合、異なる動作モードに対してネゴシエートするためのコードと
を更に備える請求項２８記載のコンピュータ読取可能記憶媒体。
【請求項３１】
前記より低い第２のクラスが、前記ＷＷＡＮモジュールによって取得された最も低い実用的クラスではない場合、前記ＷＷＡＮモジュールによって検出された温度を、前記しきい値温度と継続的に比較するためのコードを更に備える請求項３０記載のコンピュータ読取可能記憶媒体。
【請求項３２】
熱電力を下げるよう求めるノートブック要求が受信されること、及び前記熱電力を下げるよう求める代替技術の要求が受信されることの少なくとも１つである場合に、前記目標送信電力を予め定められた量だけ下げるためのコードを更に備える請求項２７記載のコンピュータ読取可能記憶媒体。
【請求項３３】
無線通信システムにおける装置であって、
温度関連の入力に基づいて、ＷＷＡＮモジュールによって利用される目標送信電力を変更し、
前記変更された目標送信電力が、以前に割り当てられたクラスによって示される範囲外である場合、前記ＷＷＡＮモジュールによって使用される更新されたクラスを選択するために基地局と通信し、
前記更新されたクラスが、前記ＷＷＡＮモジュールに対して不十分であると決定された場合、前記ＷＷＡＮモジュールによって用いられる更新された動作モードを選択するため前記基地局と通信する
ように構成されたプロセッサを備える装置。
【請求項３４】
無線通信環境において、熱入力に基づいて、ＷＷＡＮモジュール送信電力の変更を調整することを容易にする方法であって、
第１の目標送信電力レベル以下の送信電力レベルでＷＷＡＮモジュールから送られたデータを受信することと、
第２の目標送信電力レベルへの遷移を調整するため前記ＷＷＡＮモジュールと通信することと、ここで前記第２の目標送信電力レベルへの遷移は、前記ＷＷＡＮモジュールによって取得された温度関連の入力の関数である、
前記遷移の後に、前記第２の目標送信電力レベル以下の送信電力レベルで前記ＷＷＡＮモジュールから送られたデータを受信することと
を備える方法。
【請求項３５】
前記ＷＷＡＮモジュールと共に協働的にクラスを選択することを更に備える請求項３４記載の方法。
【請求項３６】
前記第２の目標送信電力レベルが、前記ＷＷＡＮモジュールに割り振られた第１のクラスによる許容目標送信電力よりも低い場合、前記ＷＷＡＮモジュールによって使用される、より低い第２のクラスを選択することを更に備える請求項３４記載の方法。
【請求項３７】
第１の動作モードを用いている間、前記より低い第２のクラスが前記ＷＷＡＮに対して実用的でない場合、前記ＷＷＡＮモジュールによって使用される第２の動作モードを選択することを更に備える請求項３６記載の方法。
【請求項３８】
第１の目標送信電力レベルから、ＷＷＡＮモジュールによって使用される第２の目標送信電力レベルへの遷移を調整することと、前記遷移は、前記ＷＷＡＮモジュールによって取得される温度関連の入力に基づいている、前記遷移の後に、前記第２の目標送信電力レベル以下の送信電力レベルで前記ＷＷＡＮモジュールから送られたデータを取得することとに関連する命令群を保持するメモリと、
前記メモリ内に保持された命令群を実行するように構成され、前記メモリに結合されたプロセッサと
を備える無線通信装置。
【請求項３９】
前記メモリは、前記ＷＷＡＮモジュールと共に協働的にクラスを選択することに関連する命令群を更に保持する請求項３８記載の無線通信装置。
【請求項４０】
前記メモリは、前記第２の目標送信電力レベルが、前記ＷＷＡＮモジュールに割り振られた第１のクラスによる許容目標送信電力よりも低い場合に、前記ＷＷＡＮモジュールによって使用される、より低い第２のクラスを協働的に選択することに関連する命令群を更に保持する請求項３８記載の無線通信装置。
【請求項４１】
前記メモリは、第１の動作モードを用いている間、前記より低い第２のクラスが前記ＷＷＡＮに対して実用的でない場合、前記ＷＷＡＮモジュールによって使用される第２の動作モードを選択することに関連する命令群を更に保持する請求項４０記載の無線通信装置。
【請求項４２】
無線通信環境において、熱入力に応じてＷＷＡＮモジュールによって用いられる送信電力の制御を調整することを可能にする無線通信装置であって、
ＷＷＡＮモジュールによって使用される調節された目標送信電力が、以前に割り当てられたクラスに示される範囲外である場合、前記ＷＷＡＮモジュールによって使用される更新されたクラスを選択するために前記ＷＷＡＮモジュールと通信する手段と、
前記更新されたクラスが、前記ＷＷＡＮモジュールに対して不十分であると決定された場合、前記ＷＷＡＮモジュールによって用いられる更新された動作モードを選択するために前記ＷＷＡＮモジュールと通信する手段と、
前記調節された目標送信電力以下の送信電力を利用して前記ＷＷＡＮモジュールによって送られたデータを受信する手段と
を備える無線通信装置。
【請求項４３】
前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである請求項４２記載の無線通信装置。
【請求項４４】
前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、ジェネラル・パケット・ラジオ・サービス（ＧＰＲＳ）かのうちの１つである請求項４２記載の無線通信装置。
【請求項４５】
コンピュータ読取可能記憶媒体であって、
ＷＷＡＮモジュールによって使用される調節された目標送信電力が、以前に割り当てられたクラスによって示される範囲外である場合、前記ＷＷＡＮモジュールによって使用される更新されたクラスを識別するために前記ＷＷＡＮモジュールと通信するためのコードと、
前記更新されたクラスが、前記ＷＷＡＮモジュールに対して不十分であると決定された場合、前記ＷＷＡＮモジュールによって用いられる更新された動作モードを決定するために前記ＷＷＡＮモジュールと通信するためのコードと、
前記調節された目標送信電力以下の送信電力を利用して前記ＷＷＡＮモジュールによって送られたデータを受信するためのコードと
を備えるコンピュータ読取可能記憶媒体。
【請求項４６】
前記調節された目標送信電力が前記範囲未満である場合、前記更新されたクラスは、前記以前に割り当てられたクラスに比べて低いクラスであり、前記調節された目標送信電力が前記範囲を上回る場合、前記更新されたクラスは、前記以前に割り当てられたクラスに比べて高いクラスである請求項４５記載のコンピュータ読取可能記憶媒体。
【請求項４７】
前記更新された動作モードは、広帯域符号化分割多元接続（ＷＣＤＭＡ）か、符号化分割多元接続（ＣＤＭＡ）か、ＧＳＭエボリューションのための強化データ・レート（ＥＤＧＥ）か、ＣＤＭＡ２０００か、ジェネラル・パケット・ラジオ・サービス（ＧＰＲＳ）かのうちの１つである請求項４５記載のコンピュータ読取可能記憶媒体。
【請求項４８】
無漸通信システムにおける装置であって、
第１の目標送信電力レベルあるいはそれ未満の送信電力レベルでＷＷＡＮモジュールから送られたデータを受信することと、
第２の目標送信電力レベルへの遷移を調整するために前記ＷＷＡＮモジュールと通信することと、前記第２の目標送信電力レベルへの遷移は、前記ＷＷＡＮモジュールによって取得された温度関連の入力の関数である、
前記遷移の後に、前記第２の目標送信電力レベル以下の送信電力レベルで前記ＷＷＡＮモジュールから送られたデータを受信することと
を実行するように構成されたプロセッサを備える装置。
【外国語明細書】
2014014088000001.pdf